(57)【特許請求の範囲】
【請求項１】
基地局装置と通信する端末装置であって、
第１のＵＬ−ＤＬ設定を示す第１の情報と、第２のＵＬ−ＤＬ設定を示す第２の情報とを受信する受信部と、
サブフレームｎ−ＫＰＵＣＣＨで受信した第１の下りリンク制御情報に含まれるＰＵＣＣＨに対する第１のＴＰＣコマンドに基づいて、サブフレームｎにおけるＰＵＣＣＨでの送信のための送信電力を設定するために用いられる第１のパラメータの値を決定し、
サブフレームｍ−ＫＰＵＳＣＨで受信した第２の下りリンク制御情報に含まれるＰＵＳＣＨに対する第２のＴＰＣコマンドに基づいて、サブフレームｍにおけるＰＵＳＣＨでの送信のための送信電力を設定するために用いられる第２のパラメータの値を決定し、
前記ＫＰＵＣＣＨの値は、前記第１のＵＬ−ＤＬ設定によって与えられ、
前記ＫＰＵＳＣＨの値は、前記第２のＵＬ−ＤＬ設定によって与えられ、
前記第１のＵＬ−ＤＬ設定によってサブフレームｎが上りリンクサブフレームとして指示されていない場合、前記サブフレームｎに対する前記第１のパラメータの値を、サブフレームｎ−１に対する前記第１のパラメータの値にセットし、
前記第２のＵＬ−ＤＬ設定によってサブフレームｍが上りリンクサブフレームとして指示されていない場合、前記サブフレームｍに対する前記第２のパラメータの値を、サブフレームｍ−１に対する前記第２のパラメータの値にセットする送信電力制御部と、
を備える端末装置。
【請求項２】
前記受信部は、第３の下りリンク制御情報を受信し、
前記送信電力制御部は、
ＴＰＣ−ＰＵＣＣＨ−ＲＮＴＩによってスクランブルされたＣＲＣパリティビットが付加された前記第３の下りリンク制御情報を受信した場合、サブフレームｐ−ＫＰＵＣＣＨで受信した前記第３の下りリンク制御情報に含まれる前記ＰＵＣＣＨに対する第３のＴＰＣコマンドに基づいて、サブフレームｐにおけるＰＵＣＣＨでの送信のための送信電力を設定するために用いられる第１のパラメータの値を決定し、
ＴＰＣ−ＰＵＳＣＨ−ＲＮＴＩによってスクランブルされたＣＲＣパリティビットが付加された前記第３の下りリンク制御情報を受信した場合、サブフレームｑ−ＫＰＵＳＣＨで受信した前記第３の下りリンク制御情報に含まれる前記ＰＵＳＣＨに対する第４のＴＰＣコマンドに基づいて、サブフレームｑにおけるＰＵＳＣＨでの送信のための送信電力を設定するために用いられる第２のパラメータの値を決定する、
請求項１に記載の端末装置。
【請求項３】
前記送信電力制御部は、前記第１のＵＬ−ＤＬ設定がセットされていない場合、ＫＰＵＣＣＨの値は、前記第２のＵＬ−ＤＬ設定によって与えられる
請求項１に記載の端末装置。
【請求項４】
前記第１のＵＬ−ＤＬ設定は、ＰＤＳＣＨを受信した場合に、前記ＰＤＳＣＨに対応するＨＡＲＱ−ＡＣＫが送信されるサブフレームを特定するために用いられ、
前記第２のＵＬ−ＤＬ設定は、前記ＰＵＳＣＨを送信した場合に、前記ＰＵＳＣＨに対応するＨＡＲＱ−ＡＣＫが受信されるサブフレームを特定するために用いられる
請求項１に記載の端末装置。
【請求項５】
端末装置と通信する基地局装置であって、
第１のＵＬ−ＤＬ設定を示す第１の情報と、第２のＵＬ−ＤＬ設定を示す第２の情報とを送信する送信部と、
サブフレームｎ−ＫＰＵＣＣＨで送信される第１の下りリンク制御情報に含まれるＰＵＣＣＨに対する第１のＴＰＣコマンドに基づいて、サブフレームｎにおけるＰＵＣＣＨでの送信のための送信電力を設定するために用いられる第１のパラメータの値を調整し、
サブフレームｍ−ＫＰＵＳＣＨで送信される第２の下りリンク制御情報に含まれるＰＵＳＣＨに対する第２のＴＰＣコマンドに基づいて、サブフレームｍにおけるＰＵＳＣＨでの送信のための送信電力を設定するために用いられる第２のパラメータの値を調整する送信電力制御部と、
を備え、
前記ＫＰＵＣＣＨの値は、前記第１のＵＬ−ＤＬ設定によって与えられ、
前記ＫＰＵＳＣＨの値は、前記第２のＵＬ−ＤＬ設定によって与えられ、
前記第１のＵＬ−ＤＬ設定によってサブフレームｎが上りリンクサブフレームとして指示されていない場合、前記サブフレームｎに対する前記第１のパラメータの値は、サブフレームｎ−１に対する前記第１のパラメータの値にセットされ、
前記第２のＵＬ−ＤＬ設定によってサブフレームｍが上りリンクサブフレームとして指示されていない場合、前記サブフレームｍに対する前記第２のパラメータの値は、サブフレームｍ−１に対する前記第２のパラメータの値にセットされる
基地局装置。
【請求項６】
前記送信部は、第３の下りリンク制御情報を送信し、
前記送信電力制御部は、
ＴＰＣ−ＰＵＣＣＨ−ＲＮＴＩによってスクランブルされたＣＲＣパリティビットが付加された前記第３の下りリンク制御情報を送信した場合、サブフレームｐ−ＫＰＵＣＣＨで送信した前記第３の下りリンク制御情報に含まれる前記ＰＵＣＣＨに対する第３のＴＰＣコマンドに基づいて、サブフレームｐにおけるＰＵＣＣＨでの送信のための送信電力を設定するために用いられる第１のパラメータの値を決定し、
ＴＰＣ−ＰＵＳＣＨ−ＲＮＴＩによってスクランブルされたＣＲＣパリティビットが付加された前記第３の下りリンク制御情報を送信した場合、サブフレームｑ−ＫＰＵＳＣＨで受信した前記第３の下りリンク制御情報に含まれる前記ＰＵＳＣＨに対する第４のＴＰＣコマンドに基づいて、サブフレームｑにおけるＰＵＳＣＨでの送信のための送信電力を設定するために用いられる第２のパラメータの値を決定する、
請求項５に記載の基地局装置。
【請求項７】
前記第１のＵＬ−ＤＬ設定がセットされていない場合、前記ＫＰＵＣＣＨの値は、前記第２のＵＬ−ＤＬ設定によって与えられる
請求項５に記載の基地局装置。
【請求項８】
前記第１のＵＬ−ＤＬ設定は、ＰＤＳＣＨを送信した場合に、前記ＰＤＳＣＨに対応するＨＡＲＱ−ＡＣＫが受信されるサブフレームを特定するために用いられ、
前記第２のＵＬ−ＤＬ設定は、前記ＰＵＳＣＨを受信した場合に、前記ＰＵＳＣＨに対応するＨＡＲＱ−ＡＣＫが送信されるサブフレームを特定するために用いられる
請求項５に記載の基地局装置。
【請求項９】
基地局装置と通信する端末装置に用いられる無線通信方法であって、
第１のＵＬ−ＤＬ設定を示す第１の情報を受信し、
第２のＵＬ−ＤＬ設定を示す第２の情報とを受信し、
サブフレームｎ−ＫＰＵＣＣＨで受信した第１の下りリンク制御情報に含まれるＰＵＣＣＨに対する第１のＴＰＣコマンドに基づいて、サブフレームｎにおけるＰＵＣＣＨでの送信のための送信電力を設定するために用いられる第１のパラメータの値を決定し、
サブフレームｍ−ＫＰＵＳＣＨで受信した第２の下りリンク制御情報に含まれるＰＵＳＣＨに対する第２のＴＰＣコマンドに基づいて、サブフレームｍにおけるＰＵＳＣＨでの送信のための送信電力を設定するために用いられる第２のパラメータの値を決定し、
前記ＫＰＵＣＣＨの値は、前記第１のＵＬ−ＤＬ設定によって与えられ、
前記ＫＰＵＳＣＨの値は、前記第２のＵＬ−ＤＬ設定によって与えられ、
前記第１のＵＬ−ＤＬ設定によってサブフレームｎが上りリンクサブフレームとして指示されていない場合、前記サブフレームｎに対する前記第１のパラメータの値を、サブフレームｎ−１に対する前記第１のパラメータの値にセットし、
前記第２のＵＬ−ＤＬ設定によってサブフレームｍが上りリンクサブフレームとして指示されていない場合、前記サブフレームｍに対する前記第２のパラメータの値を、サブフレームｍ−１に対する前記第２のパラメータの値にセットする
無線通信方法。
【請求項１０】
端末装置と通信する基地局装置に用いられる無線通信方法であって、
第１のＵＬ−ＤＬ設定を示す第１の情報と、第２のＵＬ−ＤＬ設定を示す第２の情報とを送信し、
サブフレームｎ−ＫＰＵＣＣＨで送信される第１の下りリンク制御情報に含まれるＰＵＣＣＨに対する第１のＴＰＣコマンドによって、サブフレームｎにおけるＰＵＣＣＨでの送信のための送信電力を設定するために用いられる第１のパラメータの値を調整し、
サブフレームｍ−ＫＰＵＳＣＨで送信される第２の下りリンク制御情報に含まれるＰＵＳＣＨに対する第２のＴＰＣコマンドに基づいて、サブフレームｍにおけるＰＵＳＣＨでの送信のための送信電力を設定するために用いられる第２のパラメータの値を調整し、
前記ＫＰＵＣＣＨの値は、前記第１のＵＬ−ＤＬ設定によって与えられ、
前記ＫＰＵＳＣＨの値は、前記第２のＵＬ−ＤＬ設定によって与えられ、
前記第１のＵＬ−ＤＬ設定によってサブフレームｎが上りリンクサブフレームとして指示されていない場合、前記サブフレームｎに対する前記第１のパラメータの値は、サブフレームｎ−１に対する前記第１のパラメータの値にセットされ、
前記第２のＵＬ−ＤＬ設定によってサブフレームｍが上りリンクサブフレームとして指示されていない場合、前記サブフレームｍに対する前記第２のパラメータの値は、サブフレームｍ−１に対する前記第２のパラメータの値にセットされる
無線通信方法。
【請求項１１】
基地局装置と通信する端末装置に実装される集積回路であって、
第１のＵＬ−ＤＬ設定を示す第１の情報と、第２のＵＬ−ＤＬ設定を示す第２の情報とを受信する機能と、
サブフレームｎ−ＫＰＵＣＣＨで受信した第１の下りリンク制御情報に含まれるＰＵＣＣＨに対する第１のＴＰＣコマンドに基づいて、サブフレームｎにおけるＰＵＣＣＨでの送信のための送信電力を設定するために用いられる第１のパラメータの値を決定する機能と、
サブフレームｍ−ＫＰＵＳＣＨで受信した第２の下りリンク制御情報に含まれるＰＵＳＣＨに対する第２のＴＰＣコマンドに基づいて、サブフレームｍにおけるＰＵＳＣＨでの送信のための送信電力を設定するために用いられる第２のパラメータの値を決定する機能と、
を含む一連の機能を前記端末装置に発揮させ、
前記ＫＰＵＣＣＨの値は、前記第１のＵＬ−ＤＬ設定によって与えられ、
前記ＫＰＵＳＣＨの値は、前記第２のＵＬ−ＤＬ設定によって与えられ、
前記第１のＵＬ−ＤＬ設定によってサブフレームｎが上りリンクサブフレームとして指示されていない場合、前記サブフレームｎに対する前記第１のパラメータの値を、サブフレームｎ−１に対する前記第１のパラメータの値にセットし、
前記第２のＵＬ−ＤＬ設定によってサブフレームｍが上りリンクサブフレームとして指示されていない場合、前記サブフレームｍに対する前記第２のパラメータの値を、サブフレームｍ−１に対する前記第２のパラメータの値にセットする
集積回路。
【請求項１２】
端末装置と通信する基地局装置に実装される集積回路であって、
第１のＵＬ−ＤＬ設定を示す第１の情報と、第２のＵＬ−ＤＬ設定を示す第２の情報とを送信する機能と、
サブフレームｎ−ＫＰＵＣＣＨで送信される第１の下りリンク制御情報に含まれるＰＵＣＣＨに対する第１のＴＰＣコマンドに基づいて、サブフレームｎにおけるＰＵＣＣＨでの送信のための送信電力を設定するために用いられる第１のパラメータの値を調整する機能と、
サブフレームｍ−ＫＰＵＳＣＨで送信される第２の下りリンク制御情報に含まれるＰＵＳＣＨに対する第２のＴＰＣコマンドに基づいて、サブフレームｍにおけるＰＵＳＣＨでの送信のための送信電力を設定するために用いられる第２のパラメータの値を調整する機能と、
を含む一連の機能を前記基地局装置に発揮させ、
前記ＫＰＵＣＣＨの値は、前記第１のＵＬ−ＤＬ設定によって与えられ、
前記ＫＰＵＳＣＨの値は、前記第２のＵＬ−ＤＬ設定によって与えられ、
前記第１のＵＬ−ＤＬ設定によってサブフレームｎが上りリンクサブフレームとして指示されていない場合、前記サブフレームｎに対する前記第１のパラメータの値は、サブフレームｎ−１に対する前記第１のパラメータの値にセットされ、
前記第２のＵＬ−ＤＬ設定によってサブフレームｍが上りリンクサブフレームとして指示されていない場合、前記サブフレームｍに対する前記第２のパラメータの値は、サブフレームｍ−１に対する前記第２のパラメータの値にセットされる
集積回路。
【発明の詳細な説明】
【技術分野】
【０００１】
本発明は、端末装置、基地局装置、集積回路、および、通信方法に関する。
本願は、２０１４年４月１４日に、日本に出願された特願２０１４−０８２８３４号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。【０００４】
３ＧＰＰにおいて、トラフィックアダプテーション技術と干渉軽減技術（DL-UL Interference Management and Traffic Adaptation）をＴＤ−ＬＴＥに適用することが検討されている。トラフィックアダプテーション技術は、上りリンクのトラフィックと下りリンクのトラフィックに応じて、上りリンクリソースと下りリンクリソースの比率を変更する技術である。該トラフィックアダプテーション技術をダイナミックＴＤＤとも称する。【０００５】
非特許文献１において、フレキシブルサブフレーム（flexible subframe）を用いる方法が、トラフィックアダプテーションを実現する方法として提示されている。基地局装置は、フレキシブルサブフレームにおいて、上りリンク信号の受信または下りリンク信号の送信を行なうことができる。非特許文献１において、端末装置は、基地局装置によって、フレキシブルサブフレームにおいて上りリンク信号の送信を指示されない限り、該フレキシブルサブフレームを下りリンクサブフレームとみなす。【０００６】
非特許文献１には、新たに導入するＵＬ−ＤＬ設定（uplink-downlink configuration）に基づいてＰＤＳＣＨ（Physical Downlink Shared Channel）に対するＨＡＲＱ（Hybrid Automatic Repeat reQuest）タイミングを決定し、最初のUL-DL configurationに基づいてＰＵＳＣＨ（Physical Uplink Shared Channel）に対するＨＡＲＱタイミングを決定することが記載されている。【０００７】
非特許文献２には、（ａ）UL/DL Reference Configurationを導入すること、（ｂ）いくつかのサブフレームはスケジューラからのダイナミック・グラント／アサインメントによって上りリンク、または下りリンクの何れかのためにスケジュールされ得ることが記載されている。
【先行技術文献】
【非特許文献】
【０００８】
【非特許文献１】"On standardization impact of TDD UL-DL adaptation", R1-122016, Ericsson, ST-Ericsson, 3GPP TSG-RAN WG1 Meeting #69, Prague, Czech Republic, 21st - 25th May 2012.
【非特許文献２】"Signalling support for dynamic TDD", R1-130558, Ericsson, ST-Ericsson, 3GPP TSG-RAN WG1 Meeting #72, St Julian’s, Malta, 28th January - 1st February 2013.
【発明の概要】
【発明が解決しようとする課題】
【０００９】
しかしながら、上述のような無線通信システムにおいて、端末装置が、送信電力に関わる処理を実行する際の具体的な手順について記載されていなかった。例えば、端末装置が、送信電力制御を実行する際の具体的な手順について記載されていなかった。【００１０】
本発明は上記の点に鑑みてなされたものであり、その目的は、端末装置が、送信電力に関わる処理を効率的に実行することができる端末装置、基地局装置、集積回路、および、通信方法を提供することを目的とする。
【課題を解決するための手段】
【００１１】
（１）上記の目的を達成するために、本発明は、以下のような手段を講じた。すなわち、本発明の端末装置は、基地局装置と通信する端末装置であって、サブフレームｎ−ＫＰＵＣＣＨで受信した第１のＤＣＩフォーマットに含まれるＰＵＣＣＨに対するＴＰＣコマンドに基づいて、サブフレームｎにおけるＰＵＣＣＨの送信のための送信電力を調整するために用いられる第１のパラメータの値を決定し、サブフレームｍ−ＫＰＵＳＣＨで受信した第２のＤＣＩフォーマットに含まれるＰＵＳＣＨに対するＴＰＣコマンドに基づいて、サブフレームｍにおけるＰＵＳＣＨの送信のための送信電力を調整するために用いられる第２のパラメータの値を決定し、第１のＵＬ−ＤＬ設定に基づいて前記ＫＰＵＣＣＨの値を特定し、第２のＵＬ−ＤＬ設定に基づいて前記ＫＰＵＳＣＨの値を特定し、前記第１のＵＬ−ＤＬ設定によって上りリンクサブフレームとして指示されていないサブフレームｉに対する前記第１のパラメータの値を、サブフレームｉ−１に対する前記第１のパラメータの値にセットし、前記第２のＵＬ−ＤＬ設定によって上りリンクサブフレームとして指示されていないサブフレームｋに対する前記第２のパラメータの値を、サブフレームｋ−１に対する前記第２のパラメータの値にセットする送信電力制御部と、を備える。【００１２】
（２）また、本発明の端末装置は、基地局装置と通信する端末装置であって、第１のＵＬ−ＤＬ設定および第２のＵＬ−ＤＬ設定をセットする設定部と、ＤＣＩフォーマット３またはＤＣＩフォーマット３Ａを受信する受信部と、前記ＤＣＩフォーマット３または前記ＤＣＩフォーマット３Ａに付加されたＣＲＣパリティビットがＴＰＣ−ＰＵＣＣＨ−ＲＮＴＩによってスクランブルされている場合、サブフレームｎ−ＫＰＵＣＣＨで受信した前記ＤＣＩフォーマット３または前記ＤＣＩフォーマット３Ａに含まれるＴＰＣコマンドに基づいて、サブフレームｎにおけるＰＵＣＣＨの送信のための送信電力を調整するために用いられる第１のパラメータの値を決定し、前記ＤＣＩフォーマット３または前記ＤＣＩフォーマット３Ａに付加されたＣＲＣパリティビットがＴＰＣ−ＰＵＳＣＨ−ＲＮＴＩによってスクランブルされている場合、サブフレームｍ−ＫＰＵＳＣＨで受信した前記ＤＣＩフォーマット３または前記ＤＣＩフォーマット３Ａに含まれるＴＰＣコマンドに基づいて、サブフレームｍにおけるＰＵＳＣＨの送信のための送信電力を調整するために用いられる第２のパラメータの値を決定し、前記第１のＵＬ−ＤＬ設定に基づいて前記ＫＰＵＣＣＨの値を特定し、前記第２のＵＬ−ＤＬ設定に基づいて前記ＫＰＵＳＣＨの値を特定し、前記第１のＵＬ−ＤＬ設定によって上りリンクサブフレームとして指示されていないサブフレームｉに対する前記第１のパラメータの値を、サブフレームｉ−１に対する前記第１のパラメータの値にセットし、前記第２のＵＬ−ＤＬ設定によって上りリンクサブフレームとして指示されていないサブフレームｋに対する前記第２のパラメータの値を、サブフレームｋ−１に対する前記第２のパラメータの値にセットする送信電力制御部と、を備える。【００１３】
（３）また、本発明の端末装置において、前記送信電力制御部は、前記第１のＵＬ−ＤＬ設定がセットされていない場合、前記第２のＵＬ−ＤＬ設定に基づいて前記ＫＰＵＣＣＨの値を特定し、前記第２のＵＬ−ＤＬ設定によって上りリンクサブフレームとして指示されていない前記サブフレームｉに対する前記第１のパラメータの値を、前記サブフレームｉ−１に対する前記第１のパラメータの値にセットする。【００１４】
（４）また、本発明の基地局装置は、端末装置と通信する基地局装置であって、サブフレームｎ−ＫＰＵＣＣＨで送信される、第１のＤＣＩフォーマットに含まれるＰＵＣＣＨに対するＴＰＣコマンドによって、サブフレームｎにおける前記端末装置によるＰＵＣＣＨの送信のための送信電力を制御するために用いられる第１のパラメータを調整し、サブフレームｍ−ＫＰＵＳＣＨで送信される、第２のＤＣＩフォーマットに含まれるＰＵＳＣＨに対するＴＰＣコマンドによって、サブフレームｍにおける前記端末装置によるＰＵＳＣＨの送信のための送信電力を制御するために用いられる第２のパラメータを調整する送信電力制御部と、を備え、前記ＫＰＵＣＣＨの値は第１のＵＬ−ＤＬ設定に基づいて特定され、前記ＫＰＵＳＣＨの値は第２のＵＬ−ＤＬ設定に基づいて特定され、前記第１のＵＬ−ＤＬ設定によって上りリンクサブフレームとして指示されていないサブフレームｉに対する前記第１のパラメータの値は、サブフレームｉ−１に対する前記第１のパラメータの値にセットされ、前記第２のＵＬ−ＤＬ設定によって上りリンクサブフレームとして指示されていないサブフレームｋに対する前記第２のパラメータの値は、サブフレームｋ−１に対する前記第２のパラメータの値にセットされる。【００１５】
（５）また、本発明の基地局装置は、端末装置と通信する基地局装置であって、上位層の信号を介して、第１のＵＬ−ＤＬ設定および第２のＵＬ−ＤＬ設定をセットする設定部と、ＤＣＩフォーマット３またはＤＣＩフォーマット３Ａを送信する送信部と、サブフレームｎ−ＫＰＵＣＣＨで送信される、ＴＰＣ−ＰＵＣＣＨ−ＲＮＴＩによってスクランブルされるＣＲＣパリティビットが付加される前記ＤＣＩフォーマット３または前記ＤＣＩフォーマット３Ａに含まれるＴＰＣコマンドによって、サブフレームｎにおける前記端末装置によるＰＵＣＣＨの送信のための送信電力を制御するために用いられる第１のパラメータを調整し、サブフレームｍ−ＫＰＵＳＣＨで送信される、ＴＰＣ−ＰＵＳＣＨ−ＲＮＴＩによってスクランブルされるＣＲＣパリティビットが付加される前記ＤＣＩフォーマット３または前記ＤＣＩフォーマット３Ａに含まれるＴＰＣコマンドによって、サブフレームｍにおける前記端末装置によるＰＵＳＣＨの送信のための送信電力を制御するために用いられる第２のパラメータを調整する送信電力制御部と、を備え、前記ＫＰＵＣＣＨの値は前記第１のＵＬ−ＤＬ設定に基づいて特定され、前記ＫＰＵＳＣＨの値は前記第２のＵＬ−ＤＬ設定に基づいて特定され、前記第１のＵＬ−ＤＬ設定によって上りリンクサブフレームとして指示されていないサブフレームｉに対する前記第１のパラメータの値は、サブフレームｉ−１に対する前記第１のパラメータの値にセットされ、前記第２のＵＬ−ＤＬ設定によって上りリンクサブフレームとして指示されていないサブフレームｋに対する前記第２のパラメータの値は、サブフレームｋ−１に対する前記第２のパラメータの値にセットされる。【００１６】
（６）また、本発明の基地局装置において、前記第１のＵＬ−ＤＬ設定がセットされていない場合、前記ＫＰＵＣＣＨの値は前記第２のＵＬ−ＤＬ設定に基づいて特定され、前記第２のＵＬ−ＤＬ設定によって上りリンクサブフレームとして指示されていない前記サブフレームｉに対する前記第１のパラメータの値は、前記サブフレームｉ−１に対する前記第１のパラメータの値にセットされる。【００１７】
（７）また、本発明の無線通信方法は、基地局装置と通信する端末装置に用いられる無線通信方法であって、サブフレームｎ−ＫＰＵＣＣＨで受信した第１のＤＣＩフォーマットに含まれるＰＵＣＣＨに対するＴＰＣコマンドに基づいて、サブフレームｎにおけるＰＵＣＣＨの送信のための送信電力を調整するために用いられる第１のパラメータの値を決定し、サブフレームｍ−ＫＰＵＳＣＨで受信した第２のＤＣＩフォーマットに含まれるＰＵＳＣＨに対するＴＰＣコマンドに基づいて、サブフレームｍにおけるＰＵＳＣＨの送信のための送信電力を調整するために用いられる第２のパラメータの値を決定し、第１のＵＬ−ＤＬ設定に基づいて前記ＫＰＵＣＣＨの値を特定し、第２のＵＬ−ＤＬ設定に基づいて前記ＫＰＵＳＣＨの値を特定し、前記第１のＵＬ−ＤＬ設定によって上りリンクサブフレームとして指示されていないサブフレームｉに対する前記第１のパラメータの値を、サブフレームｉ−１に対する前記第１のパラメータの値にセットし、前記第２のＵＬ−ＤＬ設定によって上りリンクサブフレームとして指示されていないサブフレームｋに対する前記第２のパラメータの値を、サブフレームｋ−１に対する前記第２のパラメータの値にセットする。【００１８】
（８）また、本発明の無線通信方法は、端末装置と通信する基地局装置に用いられる無線通信方法であって、サブフレームｎ−ＫＰＵＣＣＨで送信される、第１のＤＣＩフォーマットに含まれるＰＵＣＣＨに対するＴＰＣコマンドによって、サブフレームｎにおける前記端末装置によるＰＵＣＣＨの送信のための送信電力を制御するために用いられる第１のパラメータを調整し、サブフレームｍ−ＫＰＵＳＣＨで送信される、第２のＤＣＩフォーマットに含まれるＰＵＳＣＨに対するＴＰＣコマンドによって、サブフレームｍにおける前記端末装置によるＰＵＳＣＨの送信のための送信電力を制御するために用いられる第２のパラメータを調整し、前記ＫＰＵＣＣＨの値は第１のＵＬ−ＤＬ設定に基づいて特定され、前記ＫＰＵＳＣＨの値は第２のＵＬ−ＤＬ設定に基づいて特定され、前記第１のＵＬ−ＤＬ設定によって上りリンクサブフレームとして指示されていないサブフレームｉに対する前記第１のパラメータの値は、サブフレームｉ−１に対する前記第１のパラメータの値にセットされ、前記第２のＵＬ−ＤＬ設定によって上りリンクサブフレームとして指示されていないサブフレームｋに対する前記第２のパラメータの値は、サブフレームｋ−１に対する前記第２のパラメータの値にセットされる。【００１９】
（９）また、本発明の集積回路は、基地局装置と通信する端末装置に実装される集積回路であって、サブフレームｎ−ＫＰＵＣＣＨで受信した第１のＤＣＩフォーマットに含まれるＰＵＣＣＨに対するＴＰＣコマンドに基づいて、サブフレームｎにおけるＰＵＣＣＨの送信のための送信電力を調整するために用いられる第１のパラメータの値を決定する機能と、サブフレームｍ−ＫＰＵＳＣＨで受信した第２のＤＣＩフォーマットに含まれるＰＵＳＣＨに対するＴＰＣコマンドに基づいて、サブフレームｍにおけるＰＵＳＣＨの送信のための送信電力を調整するために用いられる第２のパラメータの値を決定する機能と、第１のＵＬ−ＤＬ設定に基づいて前記ＫＰＵＣＣＨの値を特定する機能と、第２のＵＬ−ＤＬ設定に基づいて前記ＫＰＵＳＣＨの値を特定する機能と、前記第１のＵＬ−ＤＬ設定によって上りリンクサブフレームとして指示されていないサブフレームｉに対する前記第１のパラメータの値を、サブフレームｉ−１に対する前記第１のパラメータの値にセットする機能と、前記第２のＵＬ−ＤＬ設定によって上りリンクサブフレームとして指示されていないサブフレームｋに対する前記第２のパラメータの値を、サブフレームｋ−１に対する前記第２のパラメータの値にセットする機能と、を含む一連の機能を前記端末装置に発揮させる。【００２０】
（１０）また、本発明の集積回路は、端末装置と通信する基地局装置に実装される集積回路であって、サブフレームｎ−ＫＰＵＣＣＨで送信される、前記第１のＤＣＩフォーマットに含まれるＰＵＣＣＨに対するＴＰＣコマンドによって、サブフレームｎにおける前記端末装置によるＰＵＣＣＨの送信のための送信電力を制御するために用いられる第１のパラメータを調整する機能と、サブフレームｍ−ＫＰＵＳＣＨで送信される、前記第２のＤＣＩフォーマットに含まれるＰＵＳＣＨに対するＴＰＣコマンドによって、サブフレームｍにおける前記端末装置によるＰＵＳＣＨの送信のための送信電力を制御するために用いられる第２のパラメータを調整する機能と、を含む一連の機能を前記基地局装置に発揮させ、前記ＫＰＵＣＣＨの値は第１のＵＬ−ＤＬ設定に基づいて特定され、前記ＫＰＵＳＣＨの値は第２のＵＬ−ＤＬ設定に基づいて特定され、前記第１のＵＬ−ＤＬ設定によって上りリンクサブフレームとして指示されていないサブフレームｉに対する前記第１のパラメータの値は、サブフレームｉ−１に対する前記第１のパラメータの値にセットされ、前記第２のＵＬ−ＤＬ設定によって上りリンクサブフレームとして指示されていないサブフレームｋに対する前記第２のパラメータの値は、サブフレームｋ−１に対する前記第２のパラメータの値にセットされる。
【発明の効果】
【００２１】
この発明によれば、端末装置が、送信電力に関わる処理を効率的に実行することができる。
【図面の簡単な説明】
【００２２】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態の上りリンクサブフレームにおける物理チャネルおよび物理信号の配置の一例を示す図である。
【図６】本実施形態のスペシャルサブフレームにおける物理チャネルおよび物理信号の配置の一例を示す図である。
【図７】本実施形態におけるＵＬ−ＤＬ設定の一例を示す表である。
【図８】本実施形態における第１のＵＬ参照ＵＬ−ＤＬ設定および第１のＤＬ参照ＵＬ−ＤＬ設定のセッティング方法を示すフロー図である。
【図９】本実施形態における第２のＵＬ参照ＵＬ−ＤＬ設定のセッティング方法を示すフロー図である。
【図１０】本実施形態における他のサービングセル（プライマリーセル）に対する第１のＵＬ参照ＵＬ−ＤＬ設定、および、サービングセル（セカンダリーセル）に対する第１のＵＬ参照ＵＬ−ＤＬ設定によって形成されるペア、および、セカンダリーセルに対する第２のＵＬ参照ＵＬ−ＤＬ設定の対応を示す図である。
【図１１】本実施形態における第２のＤＬ参照ＵＬ−ＤＬ設定のセッティング方法を示すフロー図である。
【図１２】本実施形態におけるプライマリーセルに対する第１のＤＬ参照ＵＬ−ＤＬ設定、および、セカンダリーセルに対する第１のＤＬ参照ＵＬ−ＤＬ設定によって形成されるペア、および、セカンダリーセルに対する第２のＤＬ参照ＵＬ−ＤＬ設定の対応を示す図である。
【図１３】本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。
【図１４】本実施形態におけるＰＵＳＣＨが配置されるサブフレームｎと前記ＰＵＳＣＨが対応するＰＨＩＣＨが配置されるサブフレームｎ＋ｋとの対応を示す図である。
【図１５】本実施形態におけるＰＤＳＣＨが配置されるサブフレームｎ−ｋと前記ＰＤＳＣＨが対応するＨＡＲＱ−ＡＣＫが送信されるサブフレームｎとの対応を示す図である。
【図１６】本実施形態におけるＫＰＵＳＣＨの値を示す図である。
【図１７】本実施形態におけるＤＣＩフォーマット３／３Ａを用いた送信電力制御方法の一例を示すフロー図である。
【図１８】本実施形態の端末装置１の構成を示す概略ブロック図である。
【図１９】本実施形態の基地局装置３の構成を示す概略ブロック図である。
【発明を実施するための形態】
【００２３】
以下、本発明の実施形態について説明する。
【００２４】
本実施形態では、端末装置は、複数のセルが設定される。端末装置が複数のセルを介して通信する技術をセルアグリゲーション、またはキャリアアグリゲーションと称する。端末装置に対して設定される複数のセルのそれぞれにおいて、本発明が適用されてもよい。また、設定された複数のセルの一部において、本発明が適用されてもよい。端末装置に設定されるセルを、サービングセルとも称する。
【００２５】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣコネクションが確立された時点、または、後に、セカンダリーセルが設定されてもよい。
【００２６】
本実施形態の無線通信システムは、ＴＤＤ（Time Division Duplex）方式が適用される。セルアグリゲーションの場合には、複数のセルの全てに対してＴＤＤ方式が適用されてもよい。また、セルアグリゲーションの場合には、ＴＤＤ方式が適用されるセルとＦＤＤ（Frequency Division Duplex）方式が適用されるセルが集約されてもよい。セルアグリゲーションの場合には、一部のセルに対して本発明を適用することができる。
【００２７】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００２８】
本実施形態の物理チャネルおよび物理信号について説明する。
【００２９】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３０】
ＰＵＣＣＨは、上りリンク制御情報（Uplink Control Information: UCI）を送信するために用いられる物理チャネルである。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transport block, Downlink-Shared Channel: DL-SCH）に対するＡＣＫ（acknowledgement）／ＮＡＣＫ（negative-acknowledgement）を含む。ＡＣＫ／ＮＡＣＫを、ＨＡＲＱ−ＡＣＫ、ＨＡＲＱフィードバック、または、応答情報とも称する。
【００３１】
ＰＵＳＣＨは、上りリンクデータ（Uplink-Shared Channel: UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００３２】
ＰＲＡＣＨは、ランダムアクセスプリアンブルを送信するために用いられる物理チャネルである。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられる。
【００３３】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００３４】
本実施形態において、以下の２つのタイプの上りリンク参照信号が用いられる。
・ＤＭＲＳ（Demodulation Reference Signal）
・ＳＲＳ（Sounding Reference Signal）
【００３５】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００３６】
ＳＲＳは、ＰＵＳＣＨまたはＰＵＣＣＨの送信に関連しない。基地局装置３は、上りリンクのチャネル状態を測定するためにＳＲＳを使用する。端末装置１は、上位層によって設定された第１のリソースにおいて第１のＳＲＳを送信する。さらに、端末装置１は、ＰＤＣＣＨを介してＳＲＳの送信を要求することを示す情報を受信した場合に、上位層によって設定された第２のリソースにおいて第２のＳＲＳを１回のみ送信する。第１のＳＲＳをピリオディックＳＲＳまたはタイプ０トリガードＳＲＳとも称する。第２のＳＲＳをアピリオディックＳＲＳまたはタイプ１トリガードＳＲＳとも称する。アピリオディックＳＲＳの送信は、ＳＲＳの送信を要求することを示す情報によってスケジュールされる。
【００３７】
図１において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３８】
ＰＢＣＨは、端末装置１で共通に用いられるマスターインフォメーションブロック（Master Information Block: MIB, Broadcast Channel: BCH）を報知するために用いられる。
【００３９】
ＰＣＦＩＣＨは、ＰＤＣＣＨの送信に用いられる領域（ＯＦＤＭシンボル）を指示する情報を送信するために用いられる。
【００４０】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００４１】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、ＤＣＩフォーマット３、ＤＣＩフォーマット３Ａ、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００４２】
ＤＣＩフォーマット３および／またはＤＣＩフォーマット３Ａを、ＤＣＩフォーマット３／３Ａとも称する。ＤＣＩフォーマット３／３Ａは、プライマリーセルのＰＵＳＣＨに対する複数のＴＰＣ（Transmission Power Control）コマンド、または、プライマリーセルのＰＵＣＣＨに対する複数のＴＰＣコマンドの送信のために用いられる。ＤＣＩフォーマット３に含まれる１つのＴＰＣコマンドは２ビットである。ＤＣＩフォーマット３Ａに含まれる１つのＴＰＣコマンドは１ビットである。
【００４３】
基地局装置３は、ＴＰＣ−ＰＵＳＣＨ−ＲＮＴＩの値を示す情報、ＴＰＣ−ＰＵＳＣＨ−ＲＮＴＩに対応するパラメータtpc-indexを示す情報、ＴＰＣ−ＰＵＣＣＨ−ＲＮＴＩの値を示す情報、および、ＴＰＣ−ＰＵＣＣＨ−ＲＮＴＩに対応するパラメータtpc-indexを示す情報を含む上位層の信号を、端末装置１に送信する。基地局装置３は、ＤＣＩフォーマット３またはＤＣＩフォーマット３Ａのモニタを指示する情報を含む上位層の信号を、端末装置１に送信する。
【００４４】
ＤＣＩフォーマットには、ＣＲＣ（Cyclic Redundancy Check）パリティビットが付加される。ＤＣＩフォーマット３／３Ａに付加されるＣＲＣパリティビットは、ＴＰＣ−ＰＵＳＣＨ−ＲＮＴＩ、または、ＴＰＣ−ＰＵＳＣＨ−ＲＮＴＩでスクランブルされる。
【００４５】
端末装置１は、ＤＣＩフォーマット３／３Ａに付加されたＣＲＣパリティビットがＴＰＣ−ＰＵＳＣＨ−ＲＮＴＩでスクランブルされている場合、該ＤＣＩフォーマット３／３ＡはＰＵＳＣＨに対するＴＰＣコマンドを含んでいると判断する。端末装置１は、ＤＣＩフォーマット３／３Ａに付加されたＣＲＣパリティビットがＴＰＣ−ＰＵＣＣＨ−ＲＮＴＩでスクランブルされている場合、ＤＣＩフォーマット３／３ＡはＰＵＣＣＨに対するＴＰＣコマンドを含んでいると判断する。
【００４６】
ＴＰＣ−ＰＵＳＣＨ−ＲＮＴＩでスクランブルされたＣＲＣパリティビットが付加されたＤＣＩフォーマット３／３Ａを、ＰＵＳＣＨに対するＤＣＩフォーマット３／３Ａとも称する。ＴＰＣ−ＰＵＣＣＨ−ＲＮＴＩでスクランブルされたＣＲＣパリティビットが付加されたＤＣＩフォーマット３／３Ａを、ＰＵＣＣＨに対するＤＣＩフォーマット３／３Ａとも称する。
【００４７】
端末装置１は、上位層によって与えられるパラメータtpc-indexに基づいて、該端末装置１に対するＴＰＣコマンドのインデックスを決定する。
【００４８】
基地局装置３は、プライマリーセルのＣＳＳ（Common Search Space）でＤＣＩフォーマット３／３Ａを送信してもよい。端末装置１は、プライマリーセルのＣＳＳでＤＣＩフォーマット３／３Ａをモニタしてもよい。端末装置１は、プライマリーセルのＣＳＳでＤＣＩフォーマット３／３Ａに対するＰＤＣＣＨ／ＥＰＤＣＣＨのデコードを試みてもよい。
【００４９】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。下りリンクグラントは、ＰＵＣＣＨに対するＴＰＣコマンドを含む。
【００５０】
上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。上りリンクグラントは、ＰＵＳＣＨに対するＴＰＣコマンドを含む。
【００５１】
下りリンクグラント、または、上りリンクグラントに付加されるＣＲＣパリティビットは、Ｃ−ＲＮＴＩ（Cell-Radio Network Temporary Identifier）、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ  Ｃ−ＲＮＴＩは、セル内において端末装置を識別するための識別子である。
【００５２】
Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００５３】
ＰＤＳＣＨは、下りリンクデータ（Downlink Shared Channel: DL-SCH）を送信するために用いられる。
【００５４】
ＰＭＣＨは、マルチキャストデータ（Multicast Channel: MCH）を送信するために用いられる。
【００５５】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５６】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５７】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００５８】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５９】
ＣＲＳは、サブフレームの全帯域で送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、端末装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００６０】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。
【００６１】
ＰＤＳＣＨは、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００６２】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００６３】
ＮＺＰ  ＣＳＩ−ＲＳは、設定されたサブフレームで送信される。ＮＺＰ  ＣＳＩ−ＲＳが送信されるリソースは、基地局装置が設定する。ＮＺＰ  ＣＳＩ−ＲＳは、端末装置１が下りリンクのチャネル状態情報を算出するために用いられる。端末装置１は、ＮＺＰ  ＣＳＩ−ＲＳを用いて信号測定（チャネル測定）を行なう。
【００６４】
ＺＰ  ＣＳＩ−ＲＳのリソースは、基地局装置３が設定する。基地局装置３は、ＺＰ  ＣＳＩ−ＲＳをゼロ出力で送信する。つまり、基地局装置３は、ＺＰ  ＣＳＩ−ＲＳを送信しない。基地局装置３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置１は、干渉を測定することができる。
【００６５】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信用いられるアンテナポートで送信される。
【００６６】
ＰＲＳは、端末装置が、自装置の地理的な位置を測定するために用いられる。
【００６７】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００６８】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００６９】
以下、本実施形態の無線フレーム（radio frame）の構成について説明する。
【００７０】
図２は、本実施形態の無線フレームの概略構成を示す図である。無線フレームのそれぞれは、１０ｍｓ長である。図２において、横軸は時間軸である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００７１】
本実施形態では、以下の３つのタイプのサブフレームを定義する。
・下りリンクサブフレーム（第１のサブフレーム）
・上りリンクサブフレーム（第２のサブフレーム）
・スペシャルサブフレーム（第３のサブフレーム）
【００７２】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００７３】
単一の無線フレームは、少なくとも下りリンクサブフレーム、上りリンクサブフレーム、およびスペシャルサブフレームから構成される。
【００７４】
以下、本実施形態のスロットの構成について説明する。
【００７５】
図３は、本実施形態のスロットの構成を示す図である。本実施形態では、ＯＦＤＭシンボルに対してノーマルＣＰ（normal Cyclic Prefix）が適用される。尚、ＯＦＤＭシンボルに対して拡張ＣＰ（extended Cyclic Prefix）が適用されてもよい。スロットのそれぞれにおいて送信される物理信号または物理チャネルは、リソースグリッドによって表現される。図３において、横軸は時間軸であり、縦軸は周波数軸である。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００７６】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００７７】
以下、サブフレームのそれぞれにおいて送信される物理チャネルおよび物理信号について説明する。
【００７８】
図４は、本実施形態の下りリンクサブフレームにおける物理チャネルおよび物理信号の配置の一例を示す図である。図４において、横軸は時間軸であり、縦軸は周波数軸である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および下りリンク物理信号（同期信号、下りリンク参照信号）を送信してもよい。尚、ＰＢＣＨは無線フレーム内のサブフレーム０のみで送信される。尚、下りリンク参照信号は周波数領域および時間領域において分散するリソースエレメントに配置される。説明の簡略化のため図４において下りリンク参照信号は図示しない。
【００７９】
ＰＤＣＣＨ領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨ領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【００８０】
図５は、本実施形態の上りリンクサブフレームにおける物理チャネルおよび物理信号の配置の一例を示す図である。図５において、横軸は時間軸であり、縦軸は周波数軸である。端末装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信してもよい。ＰＵＣＣＨ領域において、複数のＰＵＣＣＨが周波数、時間、および符合多重される。ＰＵＳＣＨ領域において、複数のＰＵＳＣＨが周波数および空間多重されてもよい。ＰＵＣＣＨとＰＵＳＣＨは周波数多重されてもよい。ＰＲＡＣＨは単一のサブフレームまたは２つのサブフレームにわたって配置されてもよい。また、複数のＰＲＡＣＨが符号多重されてもよい。
【００８１】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。端末装置１は、単一のセルの単一のＳＣ−ＦＤＭＡシンボルにおいて、ＳＲＳとＰＵＣＣＨ／ＰＵＳＣＨ／ＰＲＡＣＨを同時に送信することはできない。端末装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、端末装置１は、ＳＲＳとＰＵＳＣＨ／ＰＵＣＣＨの両方を送信することができる。尚、ＤＭＲＳはＰＵＣＣＨまたはＰＵＳＣＨと時間多重される。説明の簡略化のため図５においてＤＭＲＳは図示しない。
【００８２】
図６は、本実施形態のスペシャルサブフレームにおける物理チャネルおよび物理信号の配置の一例を示す図である。図６において、横軸は時間軸であり、縦軸は周波数軸である。図６において、ＤｗＰＴＳはスペシャルサブフレーム内の１番目から１０番目のＳＣ−ＦＤＭＡシンボルから構成され、ＧＰはスペシャルサブフレーム内の１１番目と１２番目のＳＣ−ＦＤＭＡシンボルから構成され、ＵｐＰＴＳはスペシャルサブフレーム内の１３番目と１４番目のＳＣ−ＦＤＭＡシンボルから構成される。
【００８３】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。基地局装置３は、スペシャルサブフレームのＤｗＰＴＳにおいて、ＰＢＣＨを送信しない。端末装置１は、スペシャルサブフレームのＵｐＰＴＳにおいて、ＰＲＡＣＨ、およびＳＲＳを送信してもよい。つまり、端末装置１は、スペシャルサブフレームのＵｐＰＴＳにおいて、ＰＵＣＣＨ、ＰＵＳＣＨ、およびＤＭＲＳを送信しない。
【００８４】
以下、第１のＵＬ参照ＵＬ−ＤＬ設定（uplink reference uplink-downlink configuration）、第１のＤＬ参照ＵＬ−ＤＬ設定（downlink reference uplink-downlink configuration）、第２のＵＬ参照ＵＬ−ＤＬ設定、第２のＤＬ参照ＵＬ−ＤＬ設定、および、送信方向ＵＬ−ＤＬ設定（transmission direction uplink-downlink configuration）について説明する。
【００８５】
第１のＵＬ参照ＵＬ−ＤＬ設定、第１のＤＬ参照ＵＬ−ＤＬ設定、第２のＵＬ参照ＵＬ−ＤＬ設定、第２のＤＬ参照ＵＬ−ＤＬ設定、および、送信方向ＵＬ−ＤＬ設定は、ＵＬ−ＤＬ設定（uplink - downlink configuration, UL - DL configuration）によって定義される。
【００８６】
ＵＬ−ＤＬ設定は、無線フレーム内におけるサブフレームのパターンに関する設定である。ＵＬ−ＤＬ設定は、無線フレーム内におけるサブフレームのそれぞれが、下りリンクサブフレーム、上りリンクサブフレーム、および、スペシャルサブフレームの何れであるかを示す。
【００８７】
つまり、第１のＵＬ参照ＵＬ−ＤＬ設定、第２のＵＬ参照ＵＬ−ＤＬ設定、第１のＤＬ参照ＵＬ−ＤＬ設定、第２のＤＬ参照ＵＬ−ＤＬ設定、および、送信方向ＵＬ−ＤＬ設定は、無線フレーム内における下りリンクサブフレーム、上りリンクサブフレーム、および、スペシャルサブフレームのパターンによって定義される。
【００８８】
下りリンクサブフレーム、上りリンクサブフレーム、および、スペシャルサブフレームのパターンとは、サブフレーム＃０から＃９のそれぞれが、下りリンクサブフレーム、上りリンクサブフレーム、および、スペシャルサブフレームのいずれであるかを示すものであり、好ましくは、ＤとＵとＳ（それぞれ下りリンクサブフレーム、上りリンクサブフレーム、および、スペシャルサブフレームを示す）の長さ１０となる任意の組み合わせで表現される。より好ましくは、先頭（つまりサブフレーム＃０）がＤで、２番目（つまりサブフレーム＃１）がＳである。
【００８９】
図７は、本実施形態におけるＵＬ−ＤＬ設定の一例を示す表である。図７において、Ｄは下りリンクサブフレームを示し、Ｕは上りリンクサブフレームを示し、Ｓはスペシャルサブフレームを示す。
【００９０】
第１または第２のＵＬ参照ＵＬ−ＤＬ設定としてＵＬ−ＤＬ設定ｉがセットされることを、第１または第２のＵＬ参照ＵＬ−ＤＬ設定ｉがセットされると称する。第１または第２のＤＬ参照ＵＬ−ＤＬ設定としてＵＬ−ＤＬ設定ｉがセットされることを、第１または第２のＤＬ参照ＵＬ−ＤＬ設定ｉがセットされると称する。送信方向ＵＬ−ＤＬ設定としてＵＬ−ＤＬ設定ｉがセットされることを、送信方向ＵＬ−ＤＬ設定ｉがセットされると称する。
【００９１】
以下、第１のＵＬ参照ＵＬ−ＤＬ設定、第１のＤＬ参照ＵＬ−ＤＬ設定、および、送信方向ＵＬ−ＤＬ設定にセッティング方法ついて説明する。
【００９２】
基地局装置３は、第１のＵＬ参照ＵＬ−ＤＬ設定、第１のＤＬ参照ＵＬ−ＤＬ設定、および、送信方向ＵＬ−ＤＬ設定をセットする。基地局装置３は、第１のＵＬ参照ＵＬ−ＤＬ設定を示す第１の情報（TDD-Config）、第１のＤＬ参照ＵＬ−ＤＬ設定を示す第２の情報、および、送信方向ＵＬ−ＤＬ設定を示す第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて送信してもよい。また、基地局装置３は、状況に応じて、第１の情報、第２の情報、および、第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の何れかに含めてもよい。
【００９３】
複数のサービングセルのそれぞれに対して、第１のＵＬ参照ＵＬ−ＤＬ設定、第２のＵＬ参照ＵＬ−ＤＬ設定、第１のＤＬ参照ＵＬ−ＤＬ設定、第２のＤＬ参照ＵＬ−ＤＬ設定、および、送信方向ＵＬ−ＤＬ設定が定義されてもよい。
【００９４】
基地局装置３は、サービングセルのそれぞれに対する、第１の情報、第２の情報、および、第３の情報を、複数のサービングセルが設定された端末装置１に送信する。尚、サービングセルのそれぞれに対して、第１の情報、第２の情報、および、第３の情報が定義されてもよい。
【００９５】
複数のサービングセルが設定された端末装置１は、サービングセルのそれぞれに対して、第１の情報、第２の情報、および、第３の情報に基づいて、第１のＵＬ参照ＵＬ−ＤＬ設定、第１のＤＬ参照ＵＬ−ＤＬ設定、および、送信方向ＤＬ−ＵＬ設定をセットしてもよい。
【００９６】
プライマリーセルに対する第１の情報は、システムインフォメーションブロックタイプ１メッセージ、または、ＲＲＣメッセージに含まれることが好ましい。セカンダリーセルに対する第１の情報は、ＲＲＣメッセージに含まれることが好ましい。プライマリーセルに対する第２の情報は、システムインフォメーションブロックタイプ１メッセージ、システムインフォメーションメッセージ、または、ＲＲＣメッセージに含まれることが好ましい。セカンダリーセルに対する第２の情報は、ＲＲＣメッセージに含まれることが好ましい。第３の情報は、物理層の制御情報（例えば、ＤＣＩフォーマット）に含まれることが好ましい。
【００９７】
システムインフォメーションブロックタイプ１メッセージは、SFN mod 8 = 0を満たす無線フレームのサブフレーム５においてＰＤＳＣＨを介して初期送信が行われ、SFN mod 2= 0を満たす他の無線フレームにおけるサブフレーム５において再送信（repetition）が行なわれる。システムインフォメーションブロックタイプ１メッセージは、スペシャルサブフレームの構成（ＤｗＰＴＳ、ＧＰ、およびＵｐＰＴＳの長さ）を示す情報を含む。システムインフォメーションブロックタイプ１メッセージは、セル固有の情報である。
【００９８】
システムインフォメーションメッセージは、ＰＤＳＣＨを介して伝送される。システムインフォメーションメッセージは、セル固有の情報である。システムインフォメーションメッセージは、システムインフォメーションブロックタイプ１以外のシステムインフォメーションブロックＸを含む。
【００９９】
ＲＲＣメッセージはＰＤＳＣＨを介して伝送される。ＲＲＣメッセージは、ＲＲＣ層において処理される情報／信号である。ＲＲＣメッセージは、セル内の複数の端末装置１に対して共通であってもよいし、特定の端末装置１に対して専用であってもよい。
【０１００】
ＭＡＣ  ＣＥはＰＤＳＣＨを介して送信される。ＭＡＣ  ＣＥは、ＭＡＣ層において処理される情報／信号である。
【０１０１】
図８は、本実施形態における第１のＵＬ参照ＵＬ−ＤＬ設定および第１のＤＬ参照ＵＬ−ＤＬ設定のセッティング方法を示すフロー図である。端末装置１は、複数のサービングセルのそれぞれに対して、図８におけるセッティング方法を実行する。
【０１０２】
端末装置１は、あるサービングセルに対して、第１の情報に基づいて第１のＵＬ参照ＵＬ−ＤＬ設定をセットする（Ｓ８００）。端末装置１は、該あるサービングセルに対する第２の情報を受信しているかどうかを判断する（Ｓ８０２）。端末装置１は、該あるサービングセルに対する第２の情報を受信している場合は、該あるサービングセルに対して、該あるサービングセルに対する第２の情報に基づいて第１のＤＬ参照ＵＬ−ＤＬ設定をセットする（Ｓ８０６）。端末装置１は、該あるサービングセルに対する第２の情報を受信していない場合は（else/otherwise）、該あるサービングセルに対して、該あるサービングセルに対する第１の情報に基づいて第１のＤＬ参照ＵＬ−ＤＬ設定をセットする（Ｓ８０４）。
【０１０３】
第１の情報に基づいて第１のＵＬ参照ＵＬ−ＤＬ設定および第１のＤＬ参照ＵＬ−ＤＬ設定がセットされているサービングセルを、ダイナミックＴＤＤが設定されていないサービングセルとも称する。第２の情報に基づいて第１のＤＬ参照ＵＬ−ＤＬ設定がセットされているサービングセルを、ダイナミックＴＤＤが設定されているサービングセルとも称する。
【０１０４】
また、あるサービングセルに対する第２の情報を受信していない場合は、第１のＵＬ参照ＵＬ−ＤＬ設定および第１のＤＬ参照ＵＬ−ＤＬ設定は定義されなくてもよい。端末装置１は、あるサービングセルに対する第２の情報を受信していない場合は、該あるサービングセルに対して、該あるサービングセルに対する第１の情報に基づいて１つのＵＬ−ＤＬ設定をセットしてもよい。
【０１０５】
端末装置１は、第２の情報を受信し、第２の情報に基づき上りリンクの信号の送信が可能なサブフレームを判断する。次に、端末装置１は、第３の情報を監視する。端末装置１は、第３の情報を受信した場合に、第３の情報に基づき上りリンクの信号の送信が可能なサブフレームを判断する。
【０１０６】
例えば、基地局装置３は、ＰＤＣＣＨ／ＥＰＤＣＣＨを用いて、第３の情報を端末装置１に送信する。第３の情報は、基地局装置３（セル）のカバレッジ内のダイナミックＴＤＤの動作の制御を行う。第３の情報は、ＣＳＳ（Common Search Space）、または、ＵＳＳ（UE-specific Search Space）において送受信されてもよい。ＣＳＳは、複数の端末装置１が共通してＰＤＣＣＨ／ＥＰＤＣＣＨの監視を行う領域である。ＵＳＳは、少なくともＣ−ＲＮＴＩに基づいて定義される領域である。
【０１０７】
端末装置１は、受信した信号に対して復号を試み、第３の情報を含むＰＤＣＣＨ／ＥＰＤＣＣＨが検出されたか否かを判断する。端末装置１は、第３の情報を含むＰＤＣＣＨ／ＥＰＤＣＣＨを検出した場合、検出した第３の情報に基づき、上りリンクの信号の送信が可能なサブフレームを判断する。端末装置１は、第３の情報を含むＰＤＣＣＨ／ＥＰＤＣＣＨを検出しなかった場合、上りリンクの信号の送信が可能なサブフレームに関してこれまでの判断を維持してもよい。
【０１０８】
以下、第２のＵＬ参照ＵＬ−ＤＬ設定のセッティング方法について説明する。
【０１０９】
端末装置１に対して複数のサービングセルが設定されており、少なくとも２つのサービングセルに対する第１のＵＬ参照ＵＬ−ＤＬ設定が異なる場合に、端末装置１および基地局装置３は第２のＵＬ参照ＵＬ−ＤＬ設定をセットする。
【０１１０】
端末装置１に対して複数のサービングセルが設定されており、少なくとも２つのサービングセルに対する第１のＵＬ参照ＵＬ−ＤＬ設定が異なる場合以外は、端末装置１および基地局装置３は第２のＵＬ参照ＵＬ−ＤＬ設定をセットしなくてもよい。
【０１１１】
少なくとも２つのサービングセルに対する第１のＵＬ参照ＵＬ−ＤＬ設定が異なる場合以外は、全てのサービングセルに対する第１のＵＬ参照ＵＬ−ＤＬ設定が同じ場合である。端末装置１に対して１つのサービングセルが設定されている場合は、端末装置１および基地局装置３は第２のＵＬ参照ＵＬ−ＤＬ設定をセットしなくてもよい。
【０１１２】
図９は、本実施形態における第２のＵＬ参照ＵＬ−ＤＬ設定のセッティング方法を示すフロー図である。図９において、端末装置１に対して、１つのプライマリーセルと１つのセカンダリーセルが設定されている。端末装置１は、プライマリーセルおよびセカンダリーセルのそれぞれに対して、図９におけるセッティング方法を実行する。
【０１１３】
端末装置１は、プライマリーセルに対する第１のＵＬ参照ＵＬ−ＤＬ設定およびセカンダリーセルに対する第１のＵＬ参照ＵＬ−ＤＬ設定が異なるかどうかを判断する（Ｓ９００）。端末装置１は、プライマリーセルに対する第１のＵＬ参照ＵＬ−ＤＬ設定およびセカンダリーセルに対する第１のＵＬ参照ＵＬ−ＤＬ設定が同じ場合は、第２のＵＬ参照ＵＬ−ＤＬ設定をセットせずに、第２のＵＬ参照ＵＬ−ＤＬ設定のセッティング処理を終了する。
【０１１４】
端末装置１は、プライマリーセルに対する第１のＵＬ参照ＵＬ−ＤＬ設定およびセカンダリーセルに対する第１のＵＬ参照ＵＬ−ＤＬ設定が異なる場合は、サービングセルがプライマリーセルであるか、セカンダリーセルであるか、および／または、他のサービングセルにおいて、サービングセルに対応しＣＩＦ（Carrier Indicator Field）をともなうＰＤＣＣＨ／ＥＰＤＣＣＨをモニタするように設定されているかを判断する（Ｓ９０２）。
【０１１５】
サービングセルがセカンダリーセルであり、端末装置１が他のサービングセル（プライマリーセル）において、サービングセル（セカンダリーセル）に対応しＣＩＦをともなうＰＤＣＣＨ／ＥＰＤＣＣＨをモニタするように設定されている場合は、他のサービングセル（プライマリーセル）に対する第１のＵＬ参照ＵＬ−ＤＬ設定、および、サービングセル（セカンダリーセル）に対する第１のＵＬ参照ＵＬ−ＤＬ設定によって形成されるペアに基づいて、サービングセル（セカンダリーセル）に対する第２のＵＬ参照ＵＬ−ＤＬ設定をセットする（Ｓ９０４）。
【０１１６】
Ｓ９０４において、端末装置１は、図１０の表に基づいて、サービングセル（セカンダリーセル）に対する第２のＵＬ参照ＵＬ−ＤＬ設定をセットする。図１０は、本実施形態における他のサービングセル（プライマリーセル）に対する第１のＵＬ参照ＵＬ−ＤＬ設定、および、サービングセル（セカンダリーセル）に対する第１のＵＬ参照ＵＬ−ＤＬ設定によって形成されるペア、および、セカンダリーセルに対する第２のＵＬ参照ＵＬ−ＤＬ設定の対応を示す図である。
【０１１７】
図１０において、プライマリーセルＵＬ−ＤＬ設定は、他のサービングセル（プライマリーセル）に対する第１のＵＬ参照ＵＬ−ＤＬ設定を参照する。図１０において、セカンダリーセルＵＬ−ＤＬ設定は、サービングセル（セカンダリーセル）に対する第１のＵＬ参照ＵＬ−ＤＬ設定を参照する。
【０１１８】
例えば、他のサービングセル（プライマリーセル）に対して第１のＵＬ参照ＵＬ−ＤＬ設定０をセットし、サービングセル（セカンダリーセル）に対して第１のＵＬ参照ＵＬ−ＤＬ設定２をセットしている場合は、セカンダリーセルに対して第２のＵＬ参照ＵＬ−ＤＬ設定１をセットする。
【０１１９】
サービングセルがプライマリーセルである、または、サービングセルがセカンダリーセルであり、端末装置１が他のサービングセル（プライマリーセル）において、サービングセル（セカンダリーセル）に対応しＣＩＦをともなうＰＤＣＣＨ／ＥＰＤＣＣＨをモニタするように設定されていない場合は、サービングセルに対する第１のＵＬ参照ＵＬ−ＤＬ設定を、サービングセルに対する第２のＵＬ参照ＵＬ−ＤＬ設定にセットする（Ｓ９０６）。
【０１２０】
基地局装置３は、図９のセッティング方法に基づいて、第２のＵＬ参照ＵＬ−ＤＬ設定をセットする。
【０１２１】
ＣＩＦをともなうＰＤＣＣＨ／ＥＰＤＣＣＨをモニタすることは、ＣＩＦを含むＤＣＩフォーマットに応じてＰＤＣＣＨまたはＥＰＤＣＣＨのデコードを試みることを意味する。ＣＩＦは、キャリアインディケータがマップされるフィールドである。キャリアインディケータの値は、該キャリアインディケータが関連するＤＣＩフォーマットが対応するサービングセルを示す。
【０１２２】
他のサービングセルにおいて、サービングセルに対応しＣＩＦをともなうＰＤＣＣＨ／ＥＰＤＣＣＨをモニタするように設定されている端末装置１は、該他のサービングセルにおいてＣＩＦをともなうＰＤＣＣＨ／ＥＰＤＣＣＨをモニタする。
【０１２３】
他のサービングセルにおいて、サービングセルに対応しＣＩＦをともなうＰＤＣＣＨ／ＥＰＤＣＣＨをモニタするように設定されている端末装置１は、該他のサービングセルにおいて、該サービングセルに対する第３の情報をＰＤＣＣＨ／ＥＰＤＣＣＨを介して受信することが好ましい。
【０１２４】
他のサービングセルにおいて、サービングセルに対応しＣＩＦをともなうＰＤＣＣＨ／ＥＰＤＣＣＨをモニタするように設定されていない端末装置１は、該サービングセルにおいてＣＩＦをともなう、または、ＣＩＦをともなわないＰＤＣＣＨ／ＥＰＤＣＣＨをモニタする。
【０１２５】
他のサービングセルにおいて、サービングセルに対応しＣＩＦをともなうＰＤＣＣＨ／ＥＰＤＣＣＨをモニタするように設定されていない端末装置１は、該サービングセルにおいて、該サービングセルに対する第３の情報をＰＤＣＣＨ／ＥＰＤＣＣＨを介して受信することが好ましい。
【０１２６】
プライマリーセルに対するＰＤＣＣＨ／ＥＰＤＣＣＨは、プライマリーセルにおいて送信される。プライマリーセルに対する第３の情報は、プライマリーセルのＰＤＣＣＨ／ＥＰＤＣＣＨを介して送信されることが好ましい。
【０１２７】
基地局装置３は、プライマリーセルにおいて送信されるＤＣＩフォーマットにＣＩＦが含まれるかどうかを示すパラメータ（cif-Presence-r10）を、端末装置１に送信する。
【０１２８】
基地局装置３は、セカンダリーセルのそれぞれに対して、クロスキャリアスケジューリングに関連するパラメータ（CrossCarrierSchedulingConfig-r10）を、端末装置１に送信する。
【０１２９】
パラメータ（CrossCarrierSchedulingConfig-r10）は、関連するセカンダリーセルに対応するＰＤＣＣＨ／ＥＰＤＣＣＨが、該セカンダリーセルで送信されるか、他のサービングセルで送信されるかを示すパラメータ（schedulingCellInfo-r10）を含む。
【０１３０】
パラメータ（schedulingCellInfo-r10）が、関連するセカンダリーセルに対応するＰＤＣＣＨ／ＥＰＤＣＣＨが該セカンダリーセルで送信されることを示している場合、パラメータ（schedulingCellInfo-r10）は、該セカンダリーセルにおいて送信されるＤＣＩフォーマットにＣＩＦが含まれるかどうかを示すパラメータ（cif-Presence-r10）を含む。
【０１３１】
パラメータ（schedulingCellInfo-r10）が、関連するセカンダリーセルに対応するＰＤＣＣＨ／ＥＰＤＣＣＨが他のサービングセルで送信されることを示している場合、パラメータ（schedulingCellInfo-r10）は、関連する前記セカンダリーセルに対する下りリンク割り当てが何れのサービングセルで送られるかを示すパラメータ（schedulingCellId）を含む。
【０１３２】
以下、第２のＤＬ参照ＵＬ−ＤＬ設定のセッティング方法について説明する。
【０１３３】
端末装置１に対して複数のサービングセルが設定されており、少なくとも２つのサービングセルに対する第１のＤＬ参照ＵＬ−ＤＬ設定が異なる場合に、端末装置１および基地局装置３は第２のＤＬ参照ＵＬ−ＤＬ設定をセットする。端末装置１に対して複数のサービングセルが設定されており、少なくとも２つのサービングセルに対する第１のＤＬ参照ＵＬ−ＤＬ設定が異なる場合以外は、端末装置１および基地局装置３は第２のＤＬ参照ＵＬ−ＤＬ設定をセットしなくてもよい。
【０１３４】
少なくとも２つのサービングセルに対する第１のＤＬ参照ＵＬ−ＤＬ設定が異なる場合以外は、全てのサービングセルに対する第１のＤＬ参照ＵＬ−ＤＬ設定が同じ場合である。端末装置１に対して１つのサービングセルが設定されている場合は、端末装置１および基地局装置３は第２のＤＬ参照ＵＬ−ＤＬ設定をセットしなくてもよい。
【０１３５】
図１１は、本実施形態における第２のＤＬ参照ＵＬ−ＤＬ設定のセッティング方法を示すフロー図である。図１１において、端末装置１に対して、１つのプライマリーセルと１つのセカンダリーセルが設定されている。端末装置１は、プライマリーセルおよびセカンダリーセルのそれぞれに対して、図１１におけるセッティング方法を実行する。
【０１３６】
端末装置１は、プライマリーセルに対する第１のＤＬ参照ＵＬ−ＤＬ設定およびセカンダリーセルに対する第１のＤＬ参照ＵＬ−ＤＬ設定が異なるかどうかを判断する（Ｓ１１００）。端末装置１は、プライマリーセルに対する第１のＤＬ参照ＵＬ−ＤＬ設定およびセカンダリーセルに対する第１のＤＬ参照ＵＬ−ＤＬ設定が同じ場合は、第２のＤＬ参照ＵＬ−ＤＬ設定をセットせずに、第２のＤＬ参照ＵＬ−ＤＬ設定のセッティング処理を終了する。
【０１３７】
端末装置１は、プライマリーセルに対する第１のＤＬ参照ＵＬ−ＤＬ設定およびセカンダリーセルに対する第１のＤＬ参照ＵＬ−ＤＬ設定が異なる場合は、サービングセルがプライマリーセルであるか、セカンダリーセルであるかを判断する（Ｓ１１０２）。
【０１３８】
サービングセルがセカンダリーセルである場合は、他のサービングセル（プライマリーセル）に対する第１のＤＬ参照ＵＬ−ＤＬ設定、および、サービングセル（セカンダリーセル）に対する第１のＤＬ参照ＵＬ−ＤＬ設定によって形成されるペアに基づいて、サービングセル（セカンダリーセル）に対する第２のＵＬ参照ＵＬ−ＤＬ設定をセットする（Ｓ１１０４）。
【０１３９】
Ｓ１１０４において、端末装置１は、図１２の表に基づいて、サービングセル（セカンダリーセル）に対する第２のＤＬ参照ＵＬ−ＤＬ設定をセットする。図１２は、本実施形態におけるプライマリーセルに対する第１のＤＬ参照ＵＬ−ＤＬ設定、および、セカンダリーセルに対する第１のＤＬ参照ＵＬ−ＤＬ設定によって形成されるペア、および、セカンダリーセルに対する第２のＤＬ参照ＵＬ−ＤＬ設定の対応を示す図である。
【０１４０】
図１２において、プライマリーセルＵＬ−ＤＬ設定は、プライマリーセルに対する第１のＤＬ参照ＵＬ−ＤＬ設定を参照する。図１２において、セカンダリーセルＵＬ−ＤＬ設定は、セカンダリーセルに対する第１のＤＬ参照ＵＬ−ＤＬ設定を参照する。
【０１４１】
プライマリーセルに対する第１のＤＬ参照ＵＬ−ＤＬ設定、および、セカンダリーセルに対する第１のＤＬ参照ＵＬ−ＤＬ設定によって形成されるペアが、図１２のセット１に属する場合は、セカンダリーセルに対する第２のＤＬ参照ＵＬ−ＤＬ設定はセット１において定義されている。
【０１４２】
端末装置１がプライマリーセルにおいて、セカンダリーセルに対応しＣＩＦをともなうＰＤＣＣＨ／ＥＰＤＣＣＨをモニタするように設定されておらず、プライマリーセルに対する第１のＤＬ参照ＵＬ−ＤＬ設定、および、セカンダリーセルに対する第１のＤＬ参照ＵＬ−ＤＬ設定によって形成されるペアが、図１２のセット２に属する場合は、セカンダリーセルに対する第２のＤＬ参照ＵＬ−ＤＬ設定はセット２において定義されている。
【０１４３】
端末装置１がプライマリーセルにおいて、セカンダリーセルに対応しＣＩＦをともなうＰＤＣＣＨ／ＥＰＤＣＣＨをモニタするように設定されておらず、プライマリーセルに対する第１のＤＬ参照ＵＬ−ＤＬ設定、および、セカンダリーセルに対する第１のＤＬ参照ＵＬ−ＤＬ設定によって形成されるペアが、図１２のセット３に属する場合は、セカンダリーセルに対する第２のＤＬ参照ＵＬ−ＤＬ設定はセット３において定義されている。
【０１４４】
端末装置１がプライマリーセルにおいて、セカンダリーセルに対応しＣＩＦをともなうＰＤＣＣＨ／ＥＰＤＣＣＨをモニタするように設定されており、プライマリーセルに対する第１のＤＬ参照ＵＬ−ＤＬ設定、および、セカンダリーセルに対する第１のＤＬ参照ＵＬ−ＤＬ設定によって形成されるペアが、図１２のセット４に属する場合は、セカンダリーセルに対する第２のＤＬ参照ＵＬ−ＤＬ設定はセット４において定義されている。
【０１４５】
端末装置１がプライマリーセルにおいて、セカンダリーセルに対応しＣＩＦをともなうＰＤＣＣＨ／ＥＰＤＣＣＨをモニタするように設定されており、プライマリーセルに対する第１のＤＬ参照ＵＬ−ＤＬ設定、および、セカンダリーセルに対する第１のＤＬ参照ＵＬ−ＤＬ設定によって形成されるペアが、図１２のセット５に属する場合は、セカンダリーセルに対する第２のＤＬ参照ＵＬ−ＤＬ設定はセット５において定義されている。
【０１４６】
例えば、プライマリーセルに対して第１のＤＬ参照ＵＬ−ＤＬ設定１をセットし、セカンダリーセルに対して第１のＤＬ参照ＵＬ−ＤＬ設定０をセットしている場合は、セカンダリーセルに対して第２のＤＬ参照ＵＬ−ＤＬ設定１をセットする。
【０１４７】
サービングセルがプライマリーセルである場合は、サービングセル（プライマリーセル）に対する第１のＤＬ参照ＵＬ−ＤＬ設定を、サービングセル（プライマリーセル）に対する第２のＤＬ参照ＵＬ−ＤＬ設定にセットする（Ｓ１１０６）。
【０１４８】
尚、基地局装置３は、図１１のセッティング方法に基づいて、第２のＤＬ参照ＵＬ−ＤＬ設定をセットする。
【０１４９】
以下、第１のＵＬ参照ＵＬ−ＤＬ設定について説明する。
【０１５０】
第１のＵＬ参照ＵＬ−ＤＬ設定は、サービングセルにおいて、上りリンクの送信が可能または不可能なサブフレームを特定するために少なくとも用いられる。
【０１５１】
端末装置１は、第１のＵＬ参照ＵＬ−ＤＬ設定によって下りリンクサブフレームとして指示されたサブフレームにおいて上りリンクの送信を行なわない。端末装置１は、第１のＵＬ参照ＵＬ−ＤＬ設定によってスペシャルサブフレームとして指示されたサブフレームのＤｗＰＴＳおよびＧＰにおいて上りリンクの送信を行なわない。
【０１５２】
以下、第１のＤＬ参照ＵＬ−ＤＬ設定について説明する。
【０１５３】
第１のＤＬ参照ＵＬ−ＤＬ設定は、サービングセルにおいて、下りリンクの送信が可能または不可能なサブフレームを特定するために少なくとも用いられる。
【０１５４】
端末装置１は、第１のＤＬ参照ＵＬ−ＤＬ設定によって上りリンクサブフレームとして指示されたサブフレームにおいて下りリンクの送信を行なわない。端末装置１は、第１のＤＬ参照ＵＬ−ＤＬ設定によってスペシャルサブフレームとして指示されたサブフレームのＵｐＰＴＳおよびＧＰにおいて下りリンクの送信を行なわない。
【０１５５】
第１の情報に基づいて第１のＤＬ参照ＵＬ−ＤＬ設定をセットしている端末装置１は、第１のＵＬ参照ＵＬ−ＤＬ設定または第１のＤＬ参照ＵＬ−ＤＬ設定によって指示された下りリンクサブフレームまたはスペシャルサブフレームのＤｗＰＴＳにおいて下りリンクの信号を用いた測定（例えば、チャネル状態情報に関する測定）を行なってもよい。
【０１５６】
第１のＵＬ参照ＵＬ−ＤＬ設定によって上りリンクサブフレームとして指示され、第１のＤＬ参照ＵＬ−ＤＬ設定によって下りリンクサブフレームとして指示されたサブフレームを、第１のフレキシブルサブフレームとも称する。第１のフレキシブルサブフレームは、上りリンクおよび下りリンクの送信のためにリザーブされるサブフレームである。
【０１５７】
第１のＵＬ参照ＵＬ−ＤＬ設定によってスペシャルサブフレームとして指示され、第１のＤＬ参照ＵＬ−ＤＬ設定によって下りリンクサブフレームとして指示されたサブフレームを、第２のフレキシブルサブフレームとも称する。第２のフレキシブルサブフレームは、下りリンクの送信のためにリザーブされるサブフレームである。第２のフレキシブルサブフレームは、ＤｗＰＴＳにおける下りリンクの送信およびＵｐＰＴＳにおける上りリンクの送信のためにリザーブされるサブフレームである。
【０１５８】
以下、送信方向ＵＬ−ＤＬ設定について詳細に説明する。
【０１５９】
端末装置１および基地局装置３は、サブフレームにおける送信の方向（上り／下り）に関する送信方向ＵＬ−ＤＬ設定をセットする。送信方向ＵＬ−ＤＬ設定は、サブフレームにおける送信の方向を決定するために用いられる。
【０１６０】
端末装置１は、スケジューリング情報（ＤＣＩフォーマットおよび／またはＨＡＲＱ−ＡＣＫ）、および、送信方向ＵＬ−ＤＬ設定に基づいて、第１のフレキシブルサブフレームおよび第２のフレキシブルサブフレームにおける送信を制御する。
【０１６１】
基地局装置３は、送信方向ＵＬ−ＤＬ設定を示す第３の情報を、端末装置１に送信する。第３の情報は上りリンク送信が可能なサブフレームを指示する情報である。第３の情報は下りリンク送信が可能なサブフレームを指示する情報である。第３の情報はＵｐＰＴＳにおける上りリンク送信およびＤｗＰＴＳにおける下りリンク送信が可能なサブフレームを指示する情報である。送信方向ＵＬ−ＤＬ設定は、第１のＵＬ参照ＵＬ−ＤＬ設定と第１のＤＬ参照ＵＬ−ＤＬ設定とで異なるサブフレームとして指示されているサブフレームにおける、送信の方向を特定するために用いられる。
【０１６２】
基地局装置３は、送信方向ＵＬ−ＤＬ設定によって下りリンクサブフレームとして指示されたサブフレームにおいて、下りリンクの送信のスケジューリングを行なってもよい。端末装置１は、送信方向ＵＬ−ＤＬ設定によって下りリンクサブフレームとして指示されたサブフレームにおいて、下りリンク信号の受信処理を行ってもよい。
【０１６３】
基地局装置３は、送信方向ＵＬ−ＤＬ設定によって上りリンクサブフレームとして指示されたサブフレームにおいて、上りリンクの送信のスケジューリングを行なってもよい。端末装置１は、送信方向ＵＬ−ＤＬ設定によって上りリンクサブフレームとして指示されたサブフレームにおいて、上りリンク信号の送信処理を行ってもよい。
【０１６４】
基地局装置３は、送信方向ＵＬ−ＤＬ設定によってスペシャルサブフレームとして指示されたサブフレームのＤｗＰＴＳにおいて、下りリンクの送信のスケジューリングを行なってもよい。端末装置１は、送信方向ＵＬ−ＤＬ設定によってスペシャルサブフレームとして指示されたサブフレームのＤｗＰＴＳにおいて、下りリンク信号の受信処理を行ってもよい。
【０１６５】
基地局装置３は、送信方向ＵＬ−ＤＬ設定によってスペシャルサブフレームとして指示されたサブフレームのＵｐＰＴＳにおいて、ＳＲＳの送信のスケジューリングを行なってもよい。端末装置１は、送信方向ＵＬ−ＤＬ設定によってスペシャルサブフレームとして指示されたサブフレームのＵｐＰＴＳにおいてＳＲＳの送信処理を行ってもよい。
【０１６６】
以下、第１のＵＬ参照ＵＬ−ＤＬ設定、および、第２のＵＬ参照ＵＬ−ＤＬ設定について詳細に説明する。
【０１６７】
第１のＵＬ参照ＵＬ−ＤＬ設定および第２のＵＬ参照ＵＬ−ＤＬ設定は、ＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を特定（選択、決定）するために用いられる。
【０１６８】
１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同じ場合は、２つのサービングセルのそれぞれにおいて、対応する第１のＵＬ参照ＵＬ−ＤＬ設定が、ＰＤＣＣＨ／ＥＰＤＣＣＨ／ＰＨＩＣＨが配置されるサブフレームと前記ＰＤＣＣＨ／ＥＰＤＣＣＨ／ＰＨＩＣＨが対応するＰＵＳＣＨが配置されるサブフレームとの対応を決定するために用いられる。
【０１６９】
１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が異なる場合は、２つのサービングセルのそれぞれにおいて、対応する第２のＵＬ参照ＵＬ−ＤＬ設定が、ＰＤＣＣＨ／ＥＰＤＣＣＨ／ＰＨＩＣＨが配置されるサブフレームと前記ＰＤＣＣＨ／ＥＰＤＣＣＨ／ＰＨＩＣＨが対応するＰＵＳＣＨが配置されるサブフレームとの対応を決定するために用いられる。
【０１７０】
図１３は、本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。端末装置１は、図１３の表に従ってｋの値を特定（選択、決定）する。
【０１７１】
図１３において、１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同じ場合は、ＵＬ−ＤＬ設定は第１のＵＬ参照ＵＬ−ＤＬ設定を参照する。
【０１７２】
図１３において、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が異なる場合は、ＵＬ−ＤＬ設定は第２のＵＬ参照ＵＬ−ＤＬ設定を参照する。
【０１７３】
以下、図１３の説明において、第１のＵＬ参照ＵＬ−ＤＬ設定および第２のＵＬ参照ＵＬ−ＤＬ設定を、単にＵＬ−ＤＬ設定と称する。
【０１７４】
端末装置１は、サブフレームｎにおいて、ＵＬ−ＤＬ設定１から６がセットされているサービングセルに対応し、端末装置１を対象とする上りリンクグラントをともなうＰＤＣＣＨ／ＥＰＤＣＣＨの検出をした場合に、図１３の表に基づいて特定（選択、決定）されるサブフレームｎ＋ｋにおいて該上りリンクグラントに応じたＰＵＳＣＨ送信を行なう。
【０１７５】
端末装置１は、サブフレームｎにおいて、ＵＬ−ＤＬ設定１から６がセットされているサービングセルに対応し、端末装置１を対象とするＮＡＣＫをともなうＰＨＩＣＨの検出をした場合に、図１３の表に基づいて特定（選択、決定）されるサブフレームｎ＋ｋにおいてＰＵＳＣＨ送信を行なう。
【０１７６】
ＵＬ−ＤＬ設定０が設定されたサービングセルに対応し、端末装置１を対象とする上りリンクグラントには、２ビットの上りリンクインデックス（UL index）が含まれる。ＵＬ−ＤＬ設定１から６が設定されたサービングセルに対応し、端末装置１を対象とする上りリンクグラントには、上りリンクインデックス（UL index）は含まれない。
【０１７７】
端末装置１は、サブフレームｎにおいて、ＵＬ−ＤＬ設定０がセットされているサービングセルに対応する上りリンクグラントに含まれる上りリンクインデックスのＭＳＢ（Most Significant Bit）が１にセットされている場合には、図１３の表に基づいて特定（選択、決定）されるサブフレームｎ＋ｋにおいて該上りリンクグラントに応じたＰＵＳＣＨ送信を調整する。
【０１７８】
端末装置１は、サブフレームｎ＝０または５における第１のリソースセットにおいて、ＵＬ−ＤＬ設定０がセットされているサービングセルに対応するＮＡＣＫをともなうＰＨＩＣＨを受信した場合には、図１３の表に基づいて特定（選択、決定）されるサブフレームｎ＋ｋにおいて該ＰＨＩＣＨに応じたＰＵＳＣＨ送信を調整する。
【０１７９】
端末装置１は、サブフレームｎにおいて、ＵＬ−ＤＬ設定０がセットされているサービングセルに対応する上りリンクグラントに含まれる上りリンクインデックスのＬＳＢ（Least Significant Bit）が１にセットされている場合には、サブフレームｎ＋７において該上りリンクグラントに応じたＰＵＳＣＨ送信を調整する。
【０１８０】
端末装置１は、サブフレームｎ＝０または５における第２のリソースセットにおいて、ＵＬ−ＤＬ設定０がセットされているサービングセルに対応するＮＡＣＫをともなうＰＨＩＣＨを受信した場合には、サブフレームｎ＋７において該上りリンクグラントに応じたＰＵＳＣＨ送信を調整する。
【０１８１】
端末装置１は、サブフレームｎ＝１または６において、ＵＬ−ＤＬ設定０がセットされているサービングセルに対応するＮＡＣＫをともなうＰＨＩＣＨを受信した場合には、サブフレームｎ＋７において該上りリンクグラントに応じたＰＵＳＣＨ送信を調整する。
【０１８２】
例えば、端末装置１は、[ＳＦＮ＝ｍ、サブフレーム１]において、ＵＬ−ＤＬ設定０がセットされているサービングセルに対応するＰＤＣＣＨ／ＥＰＤＣＣＨ／ＰＨＩＣＨを検出した場合に、６つ後のサブフレーム[ＳＦＮ＝ｍ、サブフレーム７]においてＰＵＳＣＨの送信を調整する。
【０１８３】
第１のＵＬ参照ＵＬ−ＤＬ設定および第２のＵＬ参照ＵＬ−ＤＬ設定は、ＰＵＳＣＨが配置されるサブフレームｎと前記ＰＵＳＣＨが対応するＰＨＩＣＨが配置されるサブフレームｎ＋ｋとの対応を特定（選択、決定）するために用いられる。
【０１８４】
１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同じ場合は、２つのサービングセルのそれぞれにおいて、対応する第１のＵＬ参照ＵＬ−ＤＬ設定が、ＰＵＳＣＨが配置されるサブフレームｎと前記ＰＵＳＣＨが対応するＰＨＩＣＨが配置されるサブフレームｎ＋ｋとの対応を特定（選択、決定）するために用いられる。
【０１８５】
１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が異なる場合は、２つのサービングセルのそれぞれにおいて、対応する第２のＵＬ参照ＵＬ−ＤＬ設定が、ＰＵＳＣＨが配置されるサブフレームｎと前記ＰＵＳＣＨが対応するＰＨＩＣＨが配置されるサブフレームｎ＋ｋとの対応を特定（選択、決定）するために用いられる。
【０１８６】
図１４は、本実施形態におけるＰＵＳＣＨが配置されるサブフレームｎと前記ＰＵＳＣＨが対応するＰＨＩＣＨが配置されるサブフレームｎ＋ｋとの対応を示す図である。端末装置１は、図１４の表に従ってｋの値を特定（選択、決定）する。
【０１８７】
図１４において、１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同じ場合は、ＵＬ−ＤＬ設定は第１のＵＬ参照ＵＬ−ＤＬ設定を参照する。
【０１８８】
図１４において、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が異なる場合は、ＵＬ−ＤＬ設定は第２のＵＬ参照ＵＬ−ＤＬ設定を参照する。
【０１８９】
以下、図１４の説明において、第１のＵＬ参照ＵＬ−ＤＬ設定および第２のＵＬ参照ＵＬ−ＤＬ設定を、単にＵＬ−ＤＬ設定と称する。
【０１９０】
端末装置１は、サブフレームｎにおいてＰＵＳＣＨ送信がスケジュールされた場合には、図１４の表から特定されるサブフレームｎ＋ｋにおいてＰＨＩＣＨリソースを決定する。
【０１９１】
例えば、ＵＬ−ＤＬ設定０がセットされているサービングセルに対して、[ＳＦＮ=ｍ、サブフレームｎ＝２]においてＰＵＳＣＨ送信がスケジュールされた場合には、[ＳＦＮ=ｍ、サブフレームｎ＝６]においてＰＨＩＣＨリソースが決定される。
【０１９２】
以下、第１のＤＬ参照ＵＬ−ＤＬ設定、および、第２のＤＬ参照ＵＬ−ＤＬ設定について詳細に説明する。
【０１９３】
第１のＤＬ参照ＵＬ−ＤＬ設定および第２のＤＬ参照ＵＬ−ＤＬ設定は、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０１９４】
１つのプライマリーセルが設定されている場合、または、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が同じ場合は、２つのサービングセルのそれぞれにおいて、対応する第１のＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０１９５】
１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が異なる場合は、２つのサービングセルのそれぞれにおいて、対応する第２のＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０１９６】
図１５は、本実施形態におけるＰＤＳＣＨが配置されるサブフレームｎ−ｋと前記ＰＤＳＣＨが対応するＨＡＲＱ−ＡＣＫが送信されるサブフレームｎとの対応を示す図である。端末装置１は、図１５の表に従ってｋの値を特定（選択、決定）する。
【０１９７】
図１５において、１つのプライマリーセルが設定されている場合、または、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が同じ場合は、ＵＬ−ＤＬ設定は第１のＤＬ参照ＵＬ−ＤＬ設定を参照する。
【０１９８】
図１５において、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が異なる場合は、ＵＬ−ＤＬ設定は第２のＤＬ参照ＵＬ−ＤＬ設定を参照する。
【０１９９】
以下、図１５の説明において、第１のＤＬ参照ＵＬ−ＤＬ設定および第２のＤＬ参照ＵＬ−ＤＬ設定を、単にＵＬ−ＤＬ設定と称する。
【０２００】
端末装置１は、サービングセルのサブフレームｎ−ｋ（ｋは図１５の表によって特定される）において、端末装置１を対象としており、対応するＨＡＲＱ−ＡＣＫの送信を行なうべきＰＤＳＣＨ送信を検出した場合には、サブフレームｎにおいてＨＡＲＱ−ＡＣＫを送信する。
【０２０１】
例えば、端末装置１は、システムインフォメーションの送信に用いられるＰＤＳＣＨ送信に対するＨＡＲＱ−ＡＣＫの応答を行なわない。例えば、端末装置１は、Ｃ−ＲＮＴＩでスクランブルされたＣＲＣをともなうＤＣＩフォーマットによってスケジュールされたＰＤＳＣＨ送信に対するＨＡＲＱ−ＡＣＫの応答を行なう。
【０２０２】
例えば、端末装置１は、サブフレームｎ＝２において、ＵＬ−ＤＬ設定１がセットされているサービングセルにおけるサブフレームｎ−６および／またはｎ−７において受信したＰＤＳＣＨに対するＨＡＲＱ−ＡＣＫの送信を行なう。
【０２０３】
尚、第２の情報を受信していないサービングセルに対して、第１のＤＬ参照ＵＬ−ＤＬ設定が定義されなくてもよい。この場合は、端末装置１および基地局装置３は、上述した第１のＤＬ参照ＵＬ−ＤＬ設定に基づいて行なわれる処理を、第１のＵＬ参照ＵＬ−ＤＬ設定（サービングセルＵＬ−ＤＬ設定）に基づいて行なってもよい。第２の情報を受信していないサービングセルは、ダイナミックＴＤＤが設定されていないサービングセルである。
【０２０４】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１のＵＬ参照ＵＬ−ＤＬ設定（サービングセルＵＬ−ＤＬ設定）およびセカンダリーセルに対する第１のＤＬ参照ＵＬ−ＤＬ設定が異なり、サービングセルがセカンダリーセルである場合は、他のサービングセル(プライマリーセル）に対する第１のＵＬ参照ＵＬ−ＤＬ設定、および、サービングセル（セカンダリーセル）に対する第１のＤＬ参照ＵＬ−ＤＬ設定によって形成されるペアに基づいて、サービングセル（セカンダリーセル）に対する第２のＤＬ参照ＵＬ−ＤＬ設定をセットしてもよい。
【０２０５】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１のＵＬ参照ＵＬ−ＤＬ設定（サービングセルＵＬ−ＤＬ設定）およびセカンダリーセルに対する第１のＤＬ参照ＵＬ−ＤＬ設定が異なる場合は、２つのサービングセルのそれぞれにおいて、対応する第２のＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられてもよい。
【０２０６】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１のＵＬ参照ＵＬ−ＤＬ設定（サービングセルＵＬ−ＤＬ設定）およびセカンダリーセルに対する第１のＤＬ参照ＵＬ−ＤＬ設定が同じ場合は、プライマリーセルにおいて、対応する第１のＵＬ参照ＵＬ−ＤＬ設定（サービングセルＵＬ−ＤＬ設定）が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられ、セカンダリーセルにおいて、対応する第１のＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられてもよい。
【０２０７】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１のＵＬ参照ＵＬ−ＤＬ設定（サービングセルＵＬ−ＤＬ設定）およびセカンダリーセルに対する第１のＤＬ参照ＵＬ−ＤＬ設定が異なる場合は、図１０および図１２において、プライマリーセルＵＬ−ＤＬ設定は、プライマリーセルに対する第１のＵＬ参照ＵＬ−ＤＬ設定を参照する。
【０２０８】
以下、本実施形態におけるＰＵＳＣＨでの送信に対する送信電力制御（Transmission Power Control: TPC）について説明する。
【０２０９】
端末装置１は、ＰＵＣＣＨでの送信を同時には行わずにＰＵＳＣＨでの送信を行う場合に、あるセルｃに対する、あるサブフレームｉにおけるＰＵＳＣＨでの送信に対する送信電力値を、数式（１）に基づいてセットしてもよい。
【数１】
0006552056.tif 000002
【０２１０】
端末装置１は、ＰＵＣＣＨとＰＵＳＣＨでの送信を同時に行う場合に、あるセルｃに対する、あるサブフレームｉにおけるＰＵＳＣＨでの送信に対する送信電力値を、数式（２）に基づいてセットしてもよい。
【数２】
0006552056.tif 000003
【０２１１】
数式（１）および数式（２）におけるＰｒｅａｌ，ｃ（ｉ）は、数式（３）に基づいて定義される。
【数３】
0006552056.tif 000004
【０２１２】
Ｐｒｅａｌ，ｃ（ｉ）は、セルｃのＰＵＳＣＨに対する実際の送信（a real transmission）に基づいて算出される（推定される）電力値である。また、ＰＵＳＣＨに対する実際の送信に基づいて電力値が算出される（推定される）とは、ＰＵＳＣＨでの実際の送信に基づいて電力値が算出される（推定される）ことの意味を含む。
【０２１３】
端末装置１は、ＰＵＳＣＨでの送信を行わない場合に、ＰＵＳＣＨに対するＤＣＩフォーマット３／３Ａを介して受信したＴＰＣコマンドの累積のために、あるセルｃに対する、あるサブフレームｉにおけるＰＵＳＣＨでの送信に対する送信電力値を、数式（４）に基づいて想定してもよい。数式（４）におけるＰｒｅｆｅｒｅｎｃｅ，ｃ（ｉ）は、数式（５）に基づいて定義される。
【０２１４】
【数４】
0006552056.tif 000005
【数５】
0006552056.tif 000006
【０２１５】
Ｐｒｅｆｅｒｅｎｃｅ，ｃ（ｉ）は、ＰＵＳＣＨに対するリファレンスフォーマットに基づいて算出される（推定される）電力値である。ここで、ＰＵＳＣＨに対するリファレンスフォーマットに基づいて電力値が算出される（推定される）とは、リファレンスフォーマットが用いられたＰＵＳＣＨでの送信を想定することによって電力値が算出される（推定される）ことの意味を含む。
【０２１６】
すなわち、ＰＵＳＣＨに対するリファレンスフォーマットとして、あるサブフレームｉにおけるＭＰＵＳＣＨ，ｃ＝１を用いたＰＵＳＣＨでの送信が想定される。また、ＰＵＳＣＨに対するリファレンスフォーマットとして、Ｐ０_ＰＵＳＣＨ，ｃ（１）が想定される。また、ＰＵＳＣＨに対するリファレンスフォーマットとして、αｃ（１）が想定される。また、ＰＵＳＣＨに対するリファレンスフォーマットとして、ΔＴＦ，ｃ（ｉ）＝０が想定される。
【０２１７】
数式（５）において、端末装置１が、あるセルｃに対するサブフレームｉにおいてＰＵＣＣＨおよびＰＵＳＣＨでの送信を行わない場合に、ＰＵＳＣＨに対するＤＣＩフォーマット３／３Ａを介して受信したＴＰＣコマンドの累積のために、該端末装置１は、ＭＰＲ（Maximum Power Reduction）＝０ｄＢ、Ａ−ＭＰＲ（Additional Maximum Power Reduction）＝０ｄＢ、Ｐ−ＭＰＲ（Power management Maximum Power Reduction）＝０ｄＢ、ΔＴＣ＝０ｄＢを想定してＰＣＭＡＸ，ｃを算出してもよい。ここで、ＭＰＲ、Ａ−ＭＰＲ、Ｐ−ＭＰＲ、および、ΔＴＣは、ＰＣＭＡＸ，ｃの値をセットするために用いられるパラメータである。
【０２１８】
ここで、ＰＰＵＳＣＨ，ｃ（ｉ）は、第ｉサブフレームにおけるＰＵＳＣＨでの送信に対する送信電力値を示す。ｍｉｎ｛Ｘ、Ｙ｝、ＸとＹのうちの最小値を選択するための関数である。ＰＣＭＡＸ，ｃは最大送信電力値（最大出力電力値とも称される）を示し、端末装置１によって設定される。
【０２１９】
ｐＣＭＡＸ，ｃはＰＣＭＡＸ，ｃの真数（the liner value）を示している。ｐＰＵＣＣＨはＰＰＵＣＣＨ（ｉ）の真数を示している。ＰＰＵＣＣＨ（ｉ）については、後述する。
【０２２０】
また、ＭＰＵＳＣＨ，ｃは、基地局装置３によって割り当てられたＰＵＳＣＨのリソース（例えば、帯域幅）を示し、リソースブロックの数によって表現される。
【０２２１】
Ｐ０_ＰＵＳＣＨ，ｃ（ｊ）は、ＰＵＳＣＨでの送信に対する基本となる送信電力を示すパラメータである。例えば、Ｐ０_ＰＵＳＣＨ，ｃ（ｊ）は、上位層から指示されるセルスペシフィックパラメータＰ０_ＮＯＭＩＮＡＬ_ＰＵＳＣＨ，ｃ（ｊ）と、上位層から指示されるユーザ装置スペシフィックパラメータＰ０_ＵＥ_ＰＵＳＣＨ，ｃ（ｊ）との和によって構成される。ここで、ＳＰＳ  Ｃ−ＲＮＴＩをともなう上りリンクグラント（semi-persistent grant）に対応するＰＵＳＣＨ送信に対して、ｊは０である。また、Ｃ−ＲＮＴＩをともなう上りリンクグラント（dynamic scheduled grant）に対応するＰＵＳＣＨ送信に対して、ｊは１である。
【０２２２】
ＰＬｃは、あるセルｃに対する下りリンクのパスロスの推定を示し、端末装置１において計算される。
【０２２３】
αｃは、あるセルｃに対するパスロスに乗算される係数を示し、上位層から指示される。
【０２２４】
ΔＴＦ，ｃ（ｉ）は、変調方式／符号化率／リソース利用効率等によるオフセット値を示す。端末装置１は、ＰＵＳＣＨで送信される上りリンクデータ（ＵＬ−ＳＣＨ）のビット数またはＣＱＩ／ＰＭＩのビット数、および、ＰＵＳＣＨ初期送信に対するリソースエレメントの数などに基づいてΔＴＦ，ｃ（ｉ）を計算する。
【０２２５】
現在のＰＵＳＣＨでの送信に対する電力制御調整の状態（PUSCH power control adjustment state）は、ｆｃ（ｉ）によって与えられる。ここで、ｆｃ（ｉ）に対する累積が有効（enabled）であるか無効（disabled）であるかが、パラメータAccumulation-enabledに基づいて上位層によって与えられる。
【０２２６】
端末装置１は、上位層から与えられたパラメータAccumulation-enabledに基づいて累積が有効である場合には、数式（６）に基づいて、ｆｃ（ｉ）の値をセットする。
【数６】
0006552056.tif 000007
【０２２７】
ここで、δＰＵＳＣＨ，ｃは、補正値（a correction value）であり、ＴＰＣコマンドと呼称される。すなわち、上位層から与えられたパラメータAccumulation-enabledに基づいて累積が有効である場合、δＰＵＳＣＨ，ｃ（ｉ−ＫＰＵＳＣＨ）は、ｆｃ（ｉ−１）に累積される値を示している。ここで、δＰＵＳＣＨ，ｃ（ｉ−ＫＰＵＳＣＨ）は、あるサブフレーム（ｉ−ＫＰＵＳＣＨ）で受信した、あるセルに対する上りリンクグラントおよびＰＵＳＣＨに対するＤＣＩフォーマット３／３Ａに含まれるＰＵＳＣＨに対するＴＰＣコマンドのフィールドにセットされた値に基づいて指示される。
【０２２８】
例えば、上りリンクグラント（ＤＣＩフォーマット０またはＤＣＩフォーマット４）およびＰＵＳＣＨに対するＤＣＩフォーマット３に含まれるＰＵＳＣＨに対するＴＰＣコマンドのフィールド（２ビットの情報フィールド）がセットされる値は、累積される補正値｛−１、０、１、３｝にマップされる。例えば、ＰＵＳＣＨに対するＤＣＩフォーマット３Ａに含まれるＰＵＳＣＨに対するＴＰＣコマンドのフィールド（１ビットの情報フィールド）がセットされる値は、累積される補正値｛−１、１｝にマップされる。
【０２２９】
ＵＬ−ＤＬ設定０であり、サブフレーム２または７におけるＰＵＳＣＨ送信が上りリンクグラントによってスケジュールされ、該上りリンクグラントに含まれる上りリンクインデックスのＬＳＢが１にセットされている場合、ＫＰＵＳＣＨの値は７である。
【０２３０】
ＵＬ−ＤＬ設定０であり、サブフレーム２または７におけるＰＵＳＣＨ送信が上りリンクグラントによってスケジュールされ、該上りリンクグラントに含まれる上りリンクインデックスのＬＳＢが１にセットされている場合以外は、ＫＰＵＳＣＨの値は図１６の表によって与えられる。図１６は、本実施形態におけるＫＰＵＳＣＨの値を示す図である。
【０２３１】
図１６において、１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同じ場合は、ＵＬ−ＤＬ設定は第１のＵＬ参照ＵＬ−ＤＬ設定を参照する。
【０２３２】
すなわち、１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同じ場合は、２つのサービングセルのそれぞれにおいて、２つのサービングセルのそれぞれに対応する第１のＵＬ参照ＵＬ−ＤＬ設定が、ＰＵＳＣＨに対するＴＰＣコマンドが送受信されるサブフレームｎ−ＫＰＵＳＣＨと前記ＴＰＣコマンドが適用されるサブフレームｎとの対応を特定するために用いられる。
【０２３３】
図１６において、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が異なる場合は、ＵＬ−ＤＬ設定は第２のＵＬ参照ＵＬ−ＤＬ設定を参照する。
【０２３４】
すなわち、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が異なる場合は、２つのサービングセルのそれぞれにおいて、２つのサービングセルのそれぞれに対応する第２のＵＬ参照ＵＬ−ＤＬ設定が、ＰＵＳＣＨに対するＴＰＣコマンドが送受信されるサブフレームｎ−ＫＰＵＳＣＨと前記ＴＰＣコマンドが適用されるサブフレームｎとの対応を特定するために用いられる。
【０２３５】
例えば、ＵＬ−ＤＬ設定１がセットされているサービングセルに対して、[ＳＦＮ=ｍ、サブフレームｎ＝４]においてＰＵＳＣＨに対するＴＰＣコマンドが受信された場合、端末装置１は[ＳＦＮ=ｍ、サブフレームｎ＝８]において該ＰＵＳＣＨに対するＴＰＣコマンドを適用する。
【０２３６】
上位層から与えられたパラメータAccumulation-enabledに基づいて累積が有効であり、サブフレームｉがセルｃに対する第１のＵＬ参照ＵＬ−ＤＬ設定（サービングセルＵＬ−ＤＬ設定）によって上りリンクサブフレームとして指示されたサブフレームでないならば、数式（６）におけるδＰＵＳＣＨ，ｃ（ｉ−ＫＰＵＳＣＨ）は０ｄＢである。δＰＵＳＣＨ，ｃ（ｉ−ＫＰＵＳＣＨ）は、サブフレームｉに対するδＰＵＳＣＨ，ｃである。
【０２３７】
端末装置１は、上位層から与えられたパラメータAccumulation-enabledに基づいて累積が無効である場合（すなわち、累積が有効ではない場合）には、数式（７）に基づいて、ｆｃ（ｉ）の値をセットする。
【数７】
0006552056.tif 000008
【０２３８】
すなわち、上位層から与えられたパラメータAccumulation-enabledに基づいて累積が無効である場合、δＰＵＳＣＨ，ｃ（ｉ−ＫＰＵＳＣＨ）は、ｆｃ（ｉ）に対する絶対値（absolute value）を示している。すなわち、δＰＵＳＣＨ，ｃ（ｉ−ＫＰＵＳＣＨ）は、サブフレームｉに対してのみ有効であってもよい。
【０２３９】
例えば、上りリンクグラント（ＤＣＩフォーマット０またはＤＣＩフォーマット４）に含まれるＰＵＳＣＨに対するＴＰＣコマンドのフィールド（２ビットの情報フィールド）がセットされる値は、絶対値｛−４、−１、１、４｝にマップされる。
【０２４０】
上位層から与えられたパラメータAccumulation-enabledに基づいて累積が無効である場合、ＰＵＳＣＨでの送信に対する送信電力制御のために、ＤＣＩフォーマット３／３Ａは用いられなくてもよい。
【０２４１】
上位層から与えられたパラメータAccumulation-enabledに基づいて累積が有効ではなく、サブフレームｉがセルｃに対する第１のＵＬ参照ＵＬ−ＤＬ設定（サービングセルＵＬ−ＤＬ設定）によって上りリンクサブフレームとして指示されたサブフレームでないならば、数式（７）におけるｆｃ（ｉ）の値はｆｃ（ｉ−１）の値と同じである（すなわち、ｆｃ（ｉ）＝ｆｃ（ｉ−１））。
【０２４２】
以下、本実施形態におけるＰＵＣＣＨでの送信に対する送信電力制御について説明する。
【０２４３】
端末装置１は、ＰＵＣＣＨでの送信を行う場合に、あるセルｃに対する、あるサブフレームｉにおけるＰＵＣＣＨでの送信に対する送信電力値を、数式（８）に基づいてセットする。数式（８）におけるＰｒｅａｌ_ＰＵＣＣＨ，ｃ（ｉ）は、数式（９）に基づいて定義される。
【数８】
0006552056.tif 000009
【数９】
0006552056.tif 000010
【０２４４】
ここで、Ｐｒｅａｌ_ＰＵＣＣＨ，ｃ（ｉ）は、ＰＵＣＣＨに対する実際の送信（a real transmission）に基づいて算出される（推定される）電力値である。また、ＰＵＣＣＨに対する実際の送信に基づいて電力値が算出される（推定される）とは、ＰＵＣＣＨでの実際の送信に基づいて電力値が算出される（推定される）ことの意味を含む。
【０２４５】
端末装置１は、プライマリーセルに対するＰＵＣＣＨでの送信を行わない場合に、ＰＵＣＣＨに対するＤＣＩフォーマット３／３Ａを介して受信したＴＰＣコマンドの累積のために、あるサブフレームｉにおけるＰＵＣＣＨでの送信に対する送信電力値を、数式（１０）に基づいて想定してもよい。数式（１０）におけるＰｒｅｆｅｒｅｎｃｅ，ｃ（ｉ）は、数式（１１）に基づいて定義される。
【０２４６】
【数１０】
0006552056.tif 000011
【数１１】
0006552056.tif 000012
【０２４７】
Ｐｒｅｆｅｒｅｎｃｅ_ＰＵＣＣＨ，ｃ（ｉ）は、ＰＵＣＣＨに対するリファレンスフォーマットに基づいて算出される（推定される）電力値である。ここで、ＰＵＣＣＨに対するリファレンスフォーマットに基づいて電力値が算出される（推定される）とは、リファレンスフォーマットが用いられたＰＵＣＣＨでの送信を想定することによって電力値が算出される（推定される）ことの意味を含む。
【０２４８】
すなわち、ＰＵＣＣＨに対するリファレンスフォーマットとして、ｈ（ｎＣＱＩ、ｎＨＡＲＱ）＝０が想定される。また、ＰＵＣＣＨに対するリファレンスフォーマットとして、ΔＦ_ＰＵＣＣＨ（Ｆ）＝０が想定される。また、ＰＵＣＣＨに対するリファレンスフォーマットとして、ＰＵＣＣＨフォーマット１ａが想定される。
【０２４９】
数式（１０）において、端末装置１が、あるセルｃに対するサブフレームｉにおいてＰＵＣＣＨおよびＰＵＳＣＨでの送信を行わない場合に、ＰＵＣＣＨに対するＤＣＩフォーマット３／３Ａを介して受信したＴＰＣコマンドの累積のために、該端末装置１は、ＭＰＲ＝０ｄＢ、Ａ−ＭＰＲ＝０ｄＢ、Ｐ−ＭＰＲ＝０ｄＢ、ΔＴＣ＝０ｄＢを想定してＰＣＭＡＸ，ｃを算出してもよい。
【０２５０】
ここで、ＰＰＵＣＣＨ，ｃ（ｉ）は、第ｉサブフレームにおけるＰＵＣＣＨでの送信に対する送信電力値を示す。Ｐ０_ＰＵＣＣＨ，ｃは、ＰＵＣＣＨでの送信に対する基本となる送信電力を示すパラメータであり、上位層から指示される。
【０２５１】
ｈ（ｎＣＱＩ、ｎＨＡＲＱ）は、ＰＵＣＣＨで送信されるビット数およびＰＵＣＣＨのフォーマットに基づいて算出される値である。ここで、ｎＣＱＩはＰＵＣＣＨで送信されるチャネル状態情報のビット数を示し、ｎＨＡＲＱはＰＵＣＣＨで送信されるＨＡＲＱ−ＡＣＫのビット数を示す。
【０２５２】
ΔＦ_ＰＵＣＣＨ（Ｆ）は、ＰＵＣＣＨのフォーマット毎に上位層から指示されるオフセット値である。例えば、ＰＵＣＣＨフォーマット１ａに対するΔＦ_ＰＵＣＣＨ（Ｆ）は常に０である。
【０２５３】
端末装置１は、数式（１２）に基づいて、ｇ（ｉ）の値をセットしてもよい。
【数１２】
0006552056.tif 000013
【０２５４】
ここで、δＰＵＣＣＨは、補正値（a correction value）であり、ＴＰＣコマンドと呼称される。すなわち、δＰＵＣＣＨ（ｉ−ＫＰＵＣＣＨ）は、ｇ（ｉ−１）に累積される値を示している。また、δＰＵＣＣＨ（ｉ−ＫＰＵＣＣＨ）は、あるサブフレーム（ｉ−ＫＰＵＣＣＨ）で受信した、あるセルに対する下りリンクグラントおよびＰＵＣＣＨに対するＤＣＩフォーマット３／３Ａに含まれるＰＵＣＣＨに対するＴＰＣコマンドのフィールドにセットされた値に基づいて指示される。
【０２５５】
例えば、下りリンクグラントおよびＰＵＣＣＨに対するＤＣＩフォーマット３に含まれるＰＵＣＣＨに対するＴＰＣコマンドのフィールド（２ビットの情報フィールド）がセットされる値は、累積される補正値｛−１、０、１、３｝にマップされる。例えば、ＰＵＣＣＨに対するＤＣＩフォーマット３Ａに含まれるＰＵＣＣＨに対するＴＰＣコマンドのフィールド（１ビットの情報フィールド）がセットされる値は、累積される補正値｛−１、１｝にマップされる。
【０２５６】
ＫＰＵＣＣＨの値は図１５の表によって与えられる。
【０２５７】
図１５において、１つのプライマリーセルが設定されている場合、または、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が同じ場合は、ＵＬ−ＤＬ設定は第１のＤＬ参照ＵＬ−ＤＬ設定を参照する。
【０２５８】
すなわち、１つのプライマリーセルが設定されている場合、または、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が同じ場合は、プライマリーセルに対応する第１のＤＬ参照ＵＬ−ＤＬ設定が、ＰＵＣＣＨに対するＴＰＣコマンドが送受信されるサブフレームｎ−ＫＰＵＣＣＨと前記ＴＰＣコマンドが適用されるサブフレームｎとの対応を特定するために用いられる。
【０２５９】
図１５において、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が異なる場合は、ＵＬ−ＤＬ設定は第２のＤＬ参照ＵＬ−ＤＬ設定を参照する。
【０２６０】
すなわち、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が異なる場合は、プライマリーセルに対応する第２のＤＬ参照ＵＬ−ＤＬ設定が、ＰＵＣＣＨに対するＴＰＣコマンドが送受信されるサブフレームｎ−ＫＰＵＣＣＨと前記ＴＰＣコマンドが適用されるサブフレームｎとの対応を特定するために用いられる。
【０２６１】
図１５において、プライマリーセルに対する第１のＤＬ参照ＵＬ−ＤＬ設定がセットされていない場合、ＵＬ−ＤＬ設定はプライマリーセルに対する第１のＵＬ参照ＵＬ−ＤＬ設定（サービングセルＵＬ−ＤＬ設定）を参照する。
【０２６２】
図１５において、１つのプライマリーセルおよび１つのセカンダリーセルが設定され、プライマリーセルに対する第１のＤＬ参照ＵＬ−ＤＬ設定がセットされておらず、プライマリーセルに対する第１のＵＬ参照ＵＬ−ＤＬ設定（サービングセルＵＬ−ＤＬ設定）およびセカンダリーセルに対する第１のＤＬ参照ＵＬ−ＤＬ設定が異なる場合は、第２のＤＬ参照ＵＬ−ＤＬ設定を参照してもよい。
【０２６３】
例えば、ＵＬ−ＤＬ設定１がセットされているサービングセルに対して、[ＳＦＮ=ｍ、サブフレームｎ＝０，１]においてＰＵＣＣＨに対する２つのＴＰＣコマンドが受信された場合、端末装置１は[ＳＦＮ=ｍ、サブフレームｎ＝７]において該ＰＵＣＣＨに対する２つのＴＰＣコマンドを適用する。
【０２６４】
プライマリーセルに対する第１のＤＬ参照ＵＬ−ＤＬ設定がセットされており、サブフレームｉがプライマリーセルに対する第１のＤＬ参照ＵＬ−ＤＬ設定によって上りリンクサブフレームとして指示されたサブフレームでないならば、数式（１２）におけるｇ（ｉ）の値はｇ（ｉ−１）の値と同じである（すなわち、ｇ（ｉ）＝ｇ（ｉ−１））。
【０２６５】
プライマリーセルセルに対する第１のＤＬ参照ＵＬ−ＤＬ設定がセットされておらず、サブフレームｉがプライマリーセルに対する第１のＵＬ参照ＵＬ−ＤＬ設定（サービングセルＵＬ−ＤＬ設定）によって上りリンクサブフレームとして指示されたサブフレームでないならば、数式（１２）におけるｇ（ｉ）の値はｇ（ｉ−１）の値と同じである。
【０２６６】
ここで、ＰＵＣＣＨでの送信は、プライマリーセルのみで行われてもよい。
【０２６７】
図１７は、本実施形態におけるＤＣＩフォーマット３／３Ａを用いた送信電力制御方法の一例を示すフロー図である。
【０２６８】
端末装置１は、プライマリーセルのサブフレームｉ−Ｋにおいて、ＤＣＩフォーマット３またはＤＣＩフォーマット３Ａを受信／検出する（Ｓ１７００）。端末装置１は、ＤＣＩフォーマット３／３Ａに付加されたＣＲＣパリティビットがＴＰＣ−ＰＵＣＣＨ−ＲＮＴＩおよびＴＰＣＰＵＳＣＨ−ＲＮＴＩのどちらでスクランブルされていたかを判断する（Ｓ１７０２）。
【０２６９】
端末装置１は、ＤＣＩフォーマット３／３Ａに付加されたＣＲＣパリティビットがＴＰＣ−ＰＵＣＣＨ−ＲＮＴＩでスクランブルされていたと判断した場合、第１のＵＬ−ＤＬ設定がセットされているかを判断する（Ｓ１７０４）。
【０２７０】
端末装置１は、ＤＣＩフォーマット３／３Ａに付加されたＣＲＣパリティビットがＴＰＣ−ＰＵＣＣＨ−ＲＮＴＩでスクランブルされていたと判断した場合、第１のＵＬ−ＤＬ設定がセットされているかを判断する（Ｓ１７０４）。
【０２７１】
端末装置１は、ステップＳ１７０４において、第１のＵＬ−ＤＬ設定がセットされていると判断した場合、ステップＳ１７０６に進む。端末装置１は、ステップＳ１７０４において、第１のＵＬ−ＤＬ設定がセットされていないと判断した場合、ステップＳ１７０８に進む。
【０２７２】
端末装置１は、端末装置１は、ＤＣＩフォーマット３／３Ａに付加されたＣＲＣパリティビットがＴＰＣ−ＰＵＳＣＨ−ＲＮＴＩでスクランブルされていたと判断した場合、ステップＳ１７１０に進む。
【０２７３】
ステップＳ１７０６において、端末装置１は、第１のＵＬ−ＤＬ設定に基づいてＫの値を特定し、サブフレームｉ−Ｋで受信した前記ＤＣＩフォーマット３または前記ＤＣＩフォーマット３Ａに含まれるＴＰＣコマンドの値に基づいてプライマリーセルのサブフレームｉにおけるパラメータｇ（ｉ）の値を決定する。
【０２７４】
ステップＳ１７０８において、端末装置１は、第２のＵＬ−ＤＬ設定に基づいてＫの値を特定し、サブフレームｉ−Ｋで受信した前記ＤＣＩフォーマット３または前記ＤＣＩフォーマット３Ａに含まれるＴＰＣコマンドの値に基づいてプライマリーセルのサブフレームｉにおけるパラメータｇ（ｉ）の値を決定する。
【０２７５】
ステップＳ１７１０において、端末装置１は、第２のＵＬ−ＤＬ設定に基づいてＫの値を特定し、サブフレームｉ−Ｋで受信した前記ＤＣＩフォーマット３または前記ＤＣＩフォーマット３Ａに含まれるＴＰＣコマンドの値に基づいてプライマリーセルのサブフレームｉにおけるパラメータｆ（ｉ）の値を決定する。
【０２７６】
ここで、１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同じ場合は、第１のＵＬ−ＤＬ設定は第１のＤＬ参照ＵＬ−ＤＬ設定である。
【０２７７】
また、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が異なる場合は、第１のＵＬ−ＤＬ設定は第２のＤＬ参照ＵＬ−ＤＬ設定である。
【０２７８】
また、１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同じ場合は、第２のＵＬ−ＤＬ設定は第１のＵＬ参照ＵＬ−ＤＬ設定である。
【０２７９】
また、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が異なる場合は、第２のＵＬ−ＤＬ設定は第２のＵＬ参照ＵＬ−ＤＬ設定である。
【０２８０】
以下、本実施形態における装置の構成について説明する。
【０２８１】
図１８は、本実施形態の端末装置１の構成を示す概略ブロック図である。図示するように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、送信電力制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０２８２】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０２８３】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０２８４】
上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０２８５】
上位層処理部１０１が備える送信電力制御部１０１５は、無線リソース制御部１０１１によって管理されている各種設定情報／パラメータ、ＴＰＣコマンドなどに基づいて、ＰＵＳＣＨおよびＰＵＣＣＨでの送信に対する送信電力の制御を行う。
【０２８６】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０２８７】
受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０２８８】
無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０２８９】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０２９０】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０２９１】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０２９２】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩの算出のために、チャネル測定、および／または、干渉測定を行なう。
【０２９３】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。
【０２９４】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【０２９５】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０２９６】
上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０２９７】
無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０２９８】
図１９は、本実施形態の基地局装置３の構成を示す概略ブロック図である。図示するように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、送信電力制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０２９９】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０３００】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０３０１】
上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０３０２】
上位層処理部３０１が備える送信電力制御部３０１５は、無線リソース制御部３０１１によって管理されている各種設定情報／パラメータ、ＴＰＣコマンドなどを介して、端末装置１によるＰＵＳＣＨおよびＰＵＣＣＨでの送信に対する送信電力の制御を行う。
【０３０３】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０３０４】
受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０３０５】
無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０３０６】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０３０７】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０３０８】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０３０９】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０３１０】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０３１１】
下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０３１２】
無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０３１３】
より具体的には、本実施形態の端末装置１は、第１のＤＬ参照ＵＬ−ＤＬ設定を示す情報、第１のＵＬ参照ＵＬ−ＤＬ設定を示す情報、ＴＰＣ−ＰＵＣＣＨ−ＲＮＴＩを示す情報、ＴＰＣ−ＰＵＳＣＨ−ＲＮＴＩを示す情報、ＴＰＣ−ＰＵＣＣＨ−ＲＮＴＩに対応するパラメータtpc-indexを示す情報、ＴＰＣ−ＰＵＳＣＨ−ＲＮＴＩに対応するパラメータtpc-indexを示す情報、ＴＰＣ−ＰＵＣＣＨ−ＲＮＴＩでスクランブルされたＣＲＣパリティビットが付加されたＤＣＩフォーマット３／３Ａ、および、ＴＰＣ−ＰＵＳＣＨ−ＲＮＴＩでスクランブルされたＣＲＣパリティビットが付加されたＤＣＩフォーマット３／３Ａを受信する受信部１０５を備える。
【０３１４】
本実施形態の端末装置１は、第１のＵＬ−ＤＬ設定、第２のＵＬ−ＤＬ設定、および、第３のＵＬ−ＤＬ設定（送信方向ＵＬ−ＤＬ設定）をセットする設定部１０１１を備える。
【０３１５】
本実施形態の第１のＵＬ−ＤＬ設定は、ＰＤＳＣＨを受信した場合に、前記ＰＤＳＣＨに対応するＨＡＲＱ−ＡＣＫが送信されるサブフレームを特定するために用いられる。本実施形態の第２のＵＬ−ＤＬ設定は、前記ＰＵＳＣＨを送信した場合に、前記ＰＵＳＣＨに対応するＨＡＲＱ−ＡＣＫが受信されるサブフレームを特定するために用いられる。
【０３１６】
１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同じ場合は、第１のＵＬ−ＤＬ設定は第１のＤＬ参照ＵＬ−ＤＬ設定であり、第２のＵＬ−ＤＬ設定は第１のＵＬ参照ＵＬ−ＤＬ設定である。
【０３１７】
１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が異なる場合は、第１のＵＬ−ＤＬ設定は第２のＤＬ参照ＵＬ−ＤＬ設定であり、第２のＵＬ−ＤＬ設定は第２のＵＬ参照ＵＬ−ＤＬ設定である。
【０３１８】
本実施形態の端末装置１は、前記ＤＣＩフォーマット３／３Ａに付加されたＣＲＣパリティビットのスクランブルのために用いられたＲＮＴＩに基づいて、前記ＤＣＩフォーマット３／３Ａに含まれるＴＰＣコマンドを適用するサブフレームを特定する送信電力制御部１０１５を備える。
【０３１９】
本実施形態の送信電力制御部１０１５は、前記ＤＣＩフォーマット３／３Ａに付加されたＣＲＣパリティビットのスクランブルのために用いられたＲＮＴＩに基づいてＫの値を特定し、サブフレームｉ−Ｋで受信した前記ＤＣＩフォーマット３／３Ａに含まれるＴＰＣコマンドに基づいてサブフレームｉにおける前記端末装置による送信のための送信電力を算出してもよい。
【０３２０】
本実施形態の送信電力制御部１０１５は、前記ＤＣＩフォーマット３／３Ａに付加されたＣＲＣパリティビットのスクランブルのために用いられたＲＮＴＩに基づいて第１のＵＬ−ＤＬ設定または第２のＵＬ−ＤＬ設定を選択し、選択した第１のＵＬ−ＤＬ設定または選択した第２のＵＬ−ＤＬ設定に基づいてＫの値を選択し、サブフレームｉ−Ｋで受信した前記ＤＣＩフォーマット３／３Ａに含まれるＴＰＣコマンドに基づいてサブフレームｉにおける前記端末装置による送信のための送信電力 を算出してもよい。
【０３２１】
本実施形態の送信電力制御部１０１５は、前記ＤＣＩフォーマット３／３Ａに付加されたＣＲＣパリティビットがＴＰＣ−ＰＵＣＣＨ−ＲＮＴＩによってスクランブルされている場合、前記第１のＵＬ−ＤＬ設定に基づいてＫＰＵＣＣＨの値を特定し、サブフレームｉ−ＫＰＵＣＣＨで受信した前記ＤＣＩフォーマット３／３Ａに含まれるＴＰＣコマンドに基づいて、サブフレームｉにおけるＰＵＣＣＨの送信のための送信電力を調整するために用いられる第１のパラメータｇ（ｉ）の値を決定してもよい。
【０３２２】
本実施形態の送信電力制御部１０１５は、前記ＤＣＩフォーマット３／３Ａに付加されたＣＲＣパリティビットがＴＰＣ−ＰＵＳＣＨ−ＲＮＴＩによってスクランブルされている場合、前記第２のＵＬ−ＤＬ設定に基づいてＫＰＵＳＣＨの値を特定し、サブフレームｉ−ＫＰＵＳＣＨで受信した前記ＤＣＩフォーマット３／３Ａに含まれるＴＰＣコマンドに基づいて、サブフレームｉにおけるＰＵＳＣＨの送信のための送信電力を調整するために用いられる第２のパラメータｆ（ｉ）の値を決定してもよい。
【０３２３】
本実施形態の送信電力制御部１０１５は、サブフレームｎ−ＫＰＵＣＣＨで受信した第１のＤＣＩフォーマット（例えば、ＤＣＩフォーマット１Ａ、ＴＰＣ−ＰＵＣＣＨ−ＲＮＴＩをともなうＤＣＩフォーマット３、または、ＴＰＣ−ＰＵＣＣＨ−ＲＮＴＩをともなうＤＣＩフォーマット３Ａ）に含まれるＰＵＣＣＨに対するＴＰＣコマンドに基づいて、サブフレームｎにおけるＰＵＣＣＨの送信のための送信電力を調整するために用いられる第１のパラメータの値を決定してもよい。
【０３２４】
本実施形態の送信電力制御部１０１５は、サブフレームｍ−ＫＰＵＳＣＨで受信した第２のＤＣＩフォーマット（例えば、ＤＣＩフォーマット０、ＴＰＣ−ＰＵＳＣＨ−ＲＮＴＩをともなうＤＣＩフォーマット３、または、ＴＰＣ−ＰＵＳＣＨ−ＲＮＴＩをともなうＤＣＩフォーマット３Ａ）に含まれるＰＵＳＣＨに対するＴＰＣコマンドに基づいて、サブフレームｍにおけるＰＵＳＣＨの送信のための送信電力を調整するために用いられる第２のパラメータの値を決定してもよい。
【０３２５】
本実施形態の送信電力制御部１０１５は、第１のＵＬ−ＤＬ設定に基づいて前記ＫＰＵＣＣＨの値を特定し、第２のＵＬ−ＤＬ設定に基づいて前記ＫＰＵＳＣＨの値を特定してもよい。
【０３２６】
本実施形態の送信電力制御部１０１５は、前記第１のＵＬ−ＤＬ設定によって上りリンクサブフレームとして指示されていないサブフレームｉに対する前記第１のパラメータの値を、サブフレームｉ−１に対する前記第１のパラメータの値にセットしてもよい。サブフレームｉに対する前記第１のパラメータの値を、前記サブフレームｉ−１に対する前記第１のパラメータの値にセットするとは、サブフレームｉに対する前記第１のパラメータの値を更新しないことを意味してもよい。
【０３２７】
本実施形態の送信電力制御部１０１５は、前記第１のＵＬ−ＤＬ設定がセットされていない場合、前記第２のＵＬ−ＤＬ設定に基づいて前記ＫＰＵＣＣＨの値を特定し、前記第２のＵＬ−ＤＬ設定によって上りリンクサブフレームとして指示されていない前記サブフレームｉに対する前記第１のパラメータの値を、前記サブフレームｉ−１に対する前記第１のパラメータの値にセットしてもよい。
【０３２８】
すなわち、本実施形態の送信電力制御部１０１５は、前記第１のＵＬ−ＤＬ設定がセットされている場合、前記第１のＵＬ−ＤＬ設定に基づいてＫＰＵＣＣＨの値を特定し、前記第１のＵＬ−ＤＬ設定によって上りリンクサブフレームとして指示されていないサブフレームｉに対する前記第１のパラメータの値を、前記サブフレームｉ−１に対する前記第１のパラメータの値にセットしてもよい。
【０３２９】
本実施形態の送信電力制御部１０１５は、前記第２のＵＬ−ＤＬ設定によって上りリンクサブフレームとして指示されていないサブフレームｋに対する前記第２のパラメータの値を、サブフレームｋ−１に対する前記第２のパラメータの値にセットしてもよい。また、送信電力制御部１０１５は、前記第３のＵＬ−ＤＬ設定によって上りリンクサブフレームとして指示されていないサブフレームｋに対する前記第２のパラメータの値を、サブフレームｋ−１に対する前記第２のパラメータの値にセットしてもよい。サブフレームｋに対する前記第２のパラメータの値を、サブフレームｋ−１に対する前記第１のパラメータの値にセットするとは、サブフレームｋに対する前記第２のパラメータの値を更新しないことを意味してもよい。
【０３３０】
本実施形態の送信電力制御部１０１５は、前記第１のＵＬ−ＤＬ設定がセットされている場合に、前記第３のＵＬ−ＤＬ設定によって上りリンクサブフレームとして指示されていないサブフレームｋに対する前記第２のパラメータの値を、サブフレームｋ−１に対する前記第２のパラメータの値にセットしてもよい。また、送信電力制御部１０１５は、前記第１のＵＬ−ＤＬ設定がセットされていない場合に、前記第２のＵＬ−ＤＬ設定によって上りリンクサブフレームとして指示されていないサブフレームｋに対する前記第２のパラメータの値を、サブフレームｋ−１に対する前記第２のパラメータの値にセットしてもよい。
【０３３１】
本実施形態の基地局装置３は、第１のＤＬ参照ＵＬ−ＤＬ設定を示す情報、第１のＵＬ参照ＵＬ−ＤＬ設定を示す情報、ＴＰＣ−ＰＵＣＣＨ−ＲＮＴＩを示す情報、ＴＰＣ−ＰＵＳＣＨ−ＲＮＴＩを示す情報、ＴＰＣ−ＰＵＣＣＨ−ＲＮＴＩに対応するパラメータtpc-indexを示す情報、ＴＰＣ−ＰＵＳＣＨ−ＲＮＴＩに対応するパラメータtpc-indexを示す情報、ＴＰＣ−ＰＵＣＣＨ−ＲＮＴＩでスクランブルされたＣＲＣパリティビットが付加されたＤＣＩフォーマット３／３Ａ、および、ＴＰＣ−ＰＵＳＣＨ−ＲＮＴＩでスクランブルされたＣＲＣパリティビットが付加されたＤＣＩフォーマット３／３Ａを送信する送信部３０７を備える。
【０３３２】
本実施形態の基地局装置３は、上位層の信号を介して、前記端末装置１に第１のＵＬ−ＤＬ設定、および、第２のＵＬ−ＤＬ設定をセットする設定部３０１１を備える。
【０３３３】
本実施形態の基地局装置３は、サブフレームｉ−Ｋで送信する前記ＤＣＩフォーマット３／３Ａに含まれるＴＰＣコマンドによって、サブフレームｉにおける前記端末装置による送信のための送信電力を制御する送信電力制御部３０１５を備える。
【０３３４】
本実施形態の送信電力制御部３０１５は、前記ＤＣＩフォーマット３／３Ａに付加されたＣＲＣパリティビットがＴＰＣ−ＰＵＣＣＨ−ＲＮＴＩによってスクランブルされる場合、前記第１のＵＬ−ＤＬ設定に基づいて前記Ｋの値を特定してもよい。
【０３３５】
本実施形態の送信電力制御部３０１５は、前記ＤＣＩフォーマット３／３Ａに付加されたＣＲＣパリティビットがＴＰＣ−ＰＵＳＣＨ−ＲＮＴＩによってスクランブルされる場合、前記第２のＵＬ−ＤＬ設定に基づいて前記Ｋの値を特定してもよい。
【０３３６】
本実施形態の送信電力制御部３０１５は、前記第１のＵＬ−ＤＬ設定に基づいてＫＰＵＣＣＨの値を特定し、サブフレームｉ−ＫＰＵＣＣＨで送信される、ＴＰＣ−ＰＵＣＣＨ−ＲＮＴＩによってスクランブルされるＣＲＣパリティビットが付加される前記ＤＣＩフォーマット３／３Ａに含まれるＴＰＣコマンドによって、サブフレームｉにおける第１のパラメータｇ（ｉ）を調整してもよい。第１のパラメータｇ（ｉ）は、前記端末装置によるＰＵＣＣＨの送信のための送信電力を制御するために用いられる。
【０３３７】
本実施形態の送信電力制御部３０１５は、前記第２のＵＬ−ＤＬ設定に基づいてＫＰＵＳＣＨの値を特定し、サブフレームｉ−ＫＰＵＳＣＨで送信される、ＴＰＣ−ＰＵＳＣＨ−ＲＮＴＩによってスクランブルされるＣＲＣパリティビットが付加される前記ＤＣＩフォーマット３／３Ａに含まれるＴＰＣコマンドによって、サブフレームｉにおける第２のパラメータｆ（ｉ）を調整してもよい。第２のパラメータｆ（ｉ）は、前記端末装置によるＰＵＳＣＨの送信のための送信電力を制御するために用いられる。
【０３３８】
本実施形態の送信電力制御部３０１５は、サブフレームｎ−ＫＰＵＣＣＨで送信される、第１のＤＣＩフォーマットに含まれるＰＵＣＣＨに対するＴＰＣコマンドによって、サブフレームｎにおける前記端末装置によるＰＵＣＣＨの送信のための送信電力を制御するために用いられる第１のパラメータを調整してもよい。前記ＫＰＵＣＣＨの値は第１のＵＬ−ＤＬ設定に基づいて特定されてもよい。
【０３３９】
本実施形態の送信電力制御部３０１５は、サブフレームｍ−ＫＰＵＳＣＨで送信される、第２のＤＣＩフォーマットに含まれるＰＵＳＣＨに対するＴＰＣコマンドによって、サブフレームｍにおける前記端末装置によるＰＵＳＣＨの送信のための送信電力を制御するために用いられる第２のパラメータを調整してもよい。前記ＫＰＵＳＣＨの値は第２のＵＬ−ＤＬ設定に基づいて特定されてもよい。
【０３４０】
本実施形態の基地局装置３において、前記第１のＵＬ−ＤＬ設定によって上りリンクサブフレームとして指示されていないサブフレームｉに対する前記第１のパラメータの値は、サブフレームｉ−１に対する前記第１のパラメータの値にセットされてもよい。
【０３４１】
本実施形態の基地局装置３において、前記第１のＵＬ−ＤＬ設定がセットされていない場合、前記第２のＵＬ−ＤＬ設定に基づいて前記ＫＰＵＣＣＨの値が特定され、前記第２のＵＬ−ＤＬ設定によって上りリンクサブフレームとして指示されていない前記サブフレームｉに対する前記第１のパラメータの値は、前記サブフレームｉ−１に対する前記第１のパラメータの値にセットされてもよい。
【０３４２】
すなわち、本実施形態の基地局装置３において、前記第１のＵＬ−ＤＬ設定がセットされている場合、前記第１のＵＬ−ＤＬ設定に基づいてＫＰＵＣＣＨの値が特定され、前記第１のＵＬ−ＤＬ設定によって上りリンクサブフレームとして指示されていないサブフレームｉに対する前記第１のパラメータの値は、前記サブフレームｉ−１に対する前記第１のパラメータの値にセットされてもよい。
【０３４３】
本実施形態の基地局装置３において、前記第２のＵＬ−ＤＬ設定によって上りリンクサブフレームとして指示されていないサブフレームｋに対する前記第２のパラメータの値は、サブフレームｋ−１に対する前記第２のパラメータの値にセットされてもよい。また、基地局装置３において、前記第３のＵＬ−ＤＬ設定によって上りリンクサブフレームとして指示されていないサブフレームｋに対する前記第２のパラメータの値は、サブフレームｋ−１に対する前記第２のパラメータの値にセットされてもよい。
【０３４４】
本実施形態の基地局装置３において、前記第１のＵＬ−ＤＬ設定がセットされている場合に、前記第３のＵＬ−ＤＬ設定によって上りリンクサブフレームとして指示されていないサブフレームｋに対する前記第２のパラメータの値は、サブフレームｋ−１に対する前記第２のパラメータの値にセットされてもよい。また、基地局装置３において、前記第１のＵＬ−ＤＬ設定がセットされていない場合に、前記第２のＵＬ−ＤＬ設定によって上りリンクサブフレームとして指示されていないサブフレームｋに対する前記第２のパラメータの値は、サブフレームｋ−１に対する前記第２のパラメータの値にセットされてもよい。
【０３４５】
これにより、端末装置が、送信電力に関わる処理を効率的に実行することができる。
【０３４６】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０３４７】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０３４８】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０３４９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０３５０】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０３５１】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０３５２】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０３５３】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０３５４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０３５５】
本発明は、ＡＶ機器、キッチン機器、掃除・洗濯機器、空調機器、オフィス機器、自動販売機、その他生活機器などの端末装置もしくは通信装置などに適用できる。
【符号の説明】
【０３５６】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  送信電力制御部
３０１１  無線リソース制御部
３０１３  スケジューリング部
３０１５  送信電力制御部
【図１】
0006552056.tif 000014
【図２】
0006552056.tif 000015
【図３】
0006552056.tif 000016
【図４】
0006552056.tif 000017
【図５】
0006552056.tif 000018
【図６】
0006552056.tif 000019
【図７】
0006552056.tif 000020
【図８】
0006552056.tif 000021
【図９】
0006552056.tif 000022
【図１０】
0006552056.tif 000023
【図１１】
0006552056.tif 000024
【図１２】
0006552056.tif 000025
【図１３】
0006552056.tif 000026
【図１４】
0006552056.tif 000027
【図１５】
0006552056.tif 000028
【図１６】
0006552056.tif 000029
【図１７】
0006552056.tif 000030
【図１８】
0006552056.tif 000031
【図１９】
0006552056.tif 000032